(57)【特許請求の範囲】
【請求項１】
広域移動体通信と近距離無線通信とを用いて通信をおこなう移動体通信装置であって、
自己の位置情報を上記広域移動体通信網を用いて出力する広域通信網出力部と、
上記広域通信網出力部により出力された自己の位置情報に基づいて、上記近距離無線を用いて通信可能な外部装置の複数のアクセスポイントの接続情報を上記広域移動体通信網を用いて入力する広域通信網入力部と、
上記広域通信網入力部により入力された上記外部装置の複数のアクセスポイントの接続情報に基づいて、複数のアクセスポイントのうちのいずれかのアクセスポイントを介して上記外部装置と上記近距離無線を用いて通信し、特定のアクセスポイントを介して通信していることを通知する通信通知を上記近距離無線を用いて出力し、出力した上記通信通知が通知する上記特定のアクセスポイントの位置情報を自己の位置詳細情報として上記特定のアクセスポイントを介して上記近距離無線を用いて入力する近距離無線通信部とを備えたことを特徴とする移動体通信装置。
【請求項２】
上記外部装置は、インターネットに接続され、
上記近距離無線通信部は、上記外部装置を介してインターネットを用いて通信することを特徴とする請求項１記載の移動体通信装置。
【請求項３】
上記近距離無線通信部は、上記広域通信網入力部により上記外部装置の接続情報が入力された後に、上記近距離無線に接続することを特徴とする請求項１記載の移動体通信装置。
【請求項４】
上記広域移動体通信網は、インターネットに接続可能に配置され、
上記広域通信網入力部は、上記広域移動体通信網を介してインターネットに接続され、
上記移動体通信装置は、上記近距離無線通信部が上記外部装置と上記近距離無線を用いて通信する間、上記広域移動体通信網との接続を切断し、上記インターネットとの接続を遮断することを特徴とする請求項１記載の移動体通信装置。
【請求項５】
近距離無線を用いて通信可能な移動体通信装置と複数のアクセスポイントを有する近距離無線通信装置とを管理する通信装置管理装置であって、
上記移動体通信装置の位置情報と上記近距離無線通信装置の位置情報と上記近距離無線通信装置の各アクセスポイントの接続情報と上記近距離無線通信装置の各アクセスポイントの位置情報とを記憶する記憶部と、
上記記憶部により記憶された上記移動体通信装置の位置情報と上記近距離無線通信装置の位置情報とが所定の基準により対応する上記移動体通信装置に対し、上記記憶部により記憶された上記近距離無線通信装置の各アクセスポイントの接続情報を出力して上記移動体通信装置と上記近距離無線通信装置との近距離無線を用いた通信を可能にする出力部と、
上記出力部により出力された上記近距離無線通信装置の各アクセスポイントの接続情報に基づいて、上記移動体通信装置と近距離無線通信装置とが特定のアクセスポイントを介して近距離無線を用いて通信していることを通知する通信通知を入力する入力部と、
上記入力部により入力された通信通知に基づいて、上記記憶部により記憶された上記移動体通信装置の位置情報を上記通信通知が通知する上記特定のアクセスポイントの位置情報に変更する変更部とを備え、
上記出力部は、上記変更部が変更した上記移動体通信装置の位置情報を上記移動体通信装置の位置詳細情報として上記移動体通信装置に対して出力する
ことを特徴とする通信装置管理装置。
【請求項６】
近距離無線を用いて通信可能な移動体通信装置と複数のアクセスポイントを有する近距離無線通信装置とを管理する通信装置管理装置であって、
上記移動体通信装置の位置情報と上記近距離無線通信装置の位置情報と上記移動体通信装置の接続情報と上記近距離無線通信装置の各アクセスポイントの位置情報とを記憶する記憶部と、
上記記憶部により記憶された上記移動体通信装置の位置情報と上記近距離無線通信装置の位置情報とが所定の基準により対応する上記近距離無線通信装置に対し、上記記憶部により記憶された上記移動体通信装置の接続情報を出力して上記移動体通信装置と近距離無線通信装置との近距離無線を介した通信を可能にする出力部と、
上記出力部により出力された上記移動体通信装置の接続情報に基づいて、上記移動体通信装置と近距離無線通信装置とが特定のアクセスポイントを介して上記近距離無線を用いて通信していることを通知する通信通知を入力する入力部と、
上記入力部により入力された通信通知に基づいて、上記記憶部により記憶された上記移動体通信装置の位置情報を上記通信通知が通知する上記特定のアクセスポイントの位置情報に変更する変更部と
を備え、
上記出力部は、上記変更部が変更した上記移動体通信装置の位置情報を上記移動体通信装置の位置詳細情報として上記移動体通信装置に対して出力する
ことを特徴とする通信装置管理装置。
【請求項７】
上記入力部は、さらに、上記移動体通信装置の位置情報を入力し、
上記変更部は、上記入力部により入力された上記移動体通信装置の位置情報に基づいて、上記記憶部に記憶された上記移動体通信装置の位置情報を変更することを特徴とする請求項５又は６記載の通信装置管理装置。
【請求項８】
上記通信通知は、上記移動体通信装置の識別情報と上記近距離無線通信装置の識別情報とを有し、
上記変更部は、上記近距離無線通信装置の識別情報に基づき、上記記憶部に記憶された上記近距離無線通信装置の位置情報を特定し、上記移動体通信装置の識別情報に基づき、上記移動体通信装置が上記近距離無線通信装置と近距離に位置すると判断し、上記記憶部に記憶された上記移動体通信装置の位置情報を上記近距離無線通信装置の位置情報と同位置に変更することを特徴とする請求項５又は６記載の通信装置管理装置。
【請求項９】
近距離無線を用いて通信可能な複数のアクセスポイントを有する外部装置と、
広域移動体通信と近距離無線通信とを用いて通信可能に配置され、自己の識別情報を記憶し、記憶された上記識別情報を上記広域移動体通信網を用いて出力し、上記近距離無線を用いて通信可能な上記外部装置の各アクセスポイントの接続情報を上記広域移動体通信網を用いて入力し、上記外部装置の各アクセスポイントの接続情報に基づきいずれかのアクセスポイントを介して上記外部装置と上記近距離無線を用いて通信し、特定のアクセスポイントを介して通信していることを通知する通信通知を上記近距離無線を用いて出力し、出力した上記通信通知が通知する上記特定のアクセスポイントの位置情報を自己の位置詳細情報として上記近距離無線を用いて入力する移動体通信装置と、
上記識別情報に基づく上記移動体通信装置の位置情報を上記広域移動体通信網を用いて入力し、上記移動体通信装置に対し、入力された上記位置情報に基づいて、上記近距離無線を用いて通信可能な上記外部装置の各アクセスポイントの接続情報を上記広域移動体通信網を用いて出力し、上記移動体通信装置と近距離無線通信装置とが特定のアクセスポイントを介して近距離無線を用いて通信していることを通知する通信通知を入力し、上記通信通知が通知する上記特定のアクセスポイントの位置情報を上記移動体通信装置の位置詳細情報として上記移動体通信装置に対して出力する通信装置管理装置と
を備えたことを特徴とする移動体通信網／近距離無線連携システム。
【請求項１０】
上記外部装置は、複数のアクセスポイントと、上記複数のアクセスポイントとローカルエリアネットワークを介して接続され、上記複数のアクセスポイントを制御するアクセスポイントサーバとを有し、
上記移動体通信装置は、上記複数のアクセスポイントのいずれかを介して上記アクセスポイントサーバと通信することを特徴とする請求項９記載の移動体通信網／近距離無線連携システム。
【請求項１１】
上記アクセスポイントサーバは、インターネットに接続可能に配置され、
上記移動体通信装置は、上記アクセスポイントサーバを介してインターネットを用いて通信することを特徴とする請求項１０記載の移動体通信網／近距離無線連携システム。
【請求項１２】
上記通信装置管理装置は、上記アクセスポイントサーバに対し、入力された上記位置情報を出力し、
上記アクセスポイントサーバは、上記移動体通信装置との通信に先立ち、上記移動体通信装置に対し、上記位置情報に基づいて上記近距離無線を用いて上記複数のアクセスポイントのいずれかを介して発呼することを特徴とする請求項１０記載の移動体通信網／近距離無線連携システム。
【請求項１３】
広域移動体通信と近距離無線通信とを用いて通信をおこなう移動体通信装置の通信方法であって、
自己の位置情報を上記広域移動体通信網を用いて出力する広域通信網出力工程と、
上記広域通信網出力工程により出力された自己の位置情報に基づいて、上記近距離無線を用いて通信可能な外部装置の複数のアクセスポイントの接続情報を上記広域移動体通信網を用いて入力する広域通信網入力工程と、
上記広域通信網入力工程により入力された上記外部装置の複数のアクセスポイントの接続情報に基づいて、複数のアクセスポイントのうちのいずれかのアクセスポイントを介して上記外部装置と上記近距離無線を用いて通信し、特定のアクセスポイントを介して通信していることを通知する通信通知を上記近距離無線を用いて出力し、出力した上記通信通知が通知する上記特定のアクセスポイントの位置情報を自己の位置詳細情報として上記特定のアクセスポイントを介して上記近距離無線を用いて入力する近距離無線通信工程と
を備えたことを特徴とする移動体通信装置の通信方法。
【請求項１４】
近距離無線を用いて通信可能な移動体通信装置と複数のアクセスポイントを有する近距離無線通信装置とを管理する通信装置管理装置がおこなう通信装置管理方法であって、
上記移動体通信装置の位置情報と上記近距離無線通信装置の位置情報と上記近距離無線通信装置の各アクセスポイントの接続情報と上記近距離無線装置の各アクセスポイントの位置情報とを記憶する記憶工程と、
上記記憶工程により記憶された上記移動体通信装置の位置情報と上記近距離無線通信装置の位置情報とが所定の基準により対応する上記移動体通信装置に対し、上記記憶工程により記憶された上記近距離無線通信装置の各アクセスポイントの接続情報を出力して上記移動体通信装置と上記近距離無線通信装置との近距離無線を用いた通信を可能にする第一の出力工程と、
上記出力工程により出力された上記近距離無線通信装置の各アクセスポイントの接続情報に基づいて、上記移動体通信装置と近距離無線通信装置とが特定のアクセスポイントを介して近距離無線を用いて通信していることを通知する通信通知を入力する入力工程と、
上記入力工程により入力された通信通知に基づいて、上記記憶工程により記憶された上記移動体通信装置の位置情報を上記通信通知が通知する上記特定のアクセスポイントの位置情報に変更する変更工程と、
上記変更工程により変更された上記移動体通信装置の位置情報を上記移動体通信装置の位置詳細情報として上記移動体通信装置に対して出力する第二の出力工程と
を備えたことを特徴とする通信装置管理方法。
【請求項１５】
近距離無線を用いて通信可能な移動体通信装置と複数のアクセスポイントを有する近距離無線通信装置とを管理する通信装置管理装置がおこなう通信装置管理方法であって、
上記移動体通信装置の位置情報と上記近距離無線通信装置の位置情報と上記移動体通信装置の接続情報と上記近距離無線通信装置の各アクセスポイントの位置情報とを記憶する記憶工程と、
上記記憶工程により記憶された上記移動体通信装置の位置情報と上記近距離無線通信装置の位置情報とが所定の基準により対応する上記近距離無線通信装置に対し、上記記憶工程により記憶された上記移動体通信装置の接続情報を出力して上記移動体通信装置と近距離無線通信装置との近距離無線を介した通信を可能にする第一の出力工程と、
上記出力工程により出力された上記移動体通信装置の接続情報に基づいて、上記移動体通信装置と近距離無線通信装置とが特定のアクセスポイントを介して上記近距離無線を用いて通信していることを通知する通信通知を入力する入力工程と、
上記入力工程により入力された通信通知に基づいて、上記記憶工程により記憶された上記移動体通信装置の位置情報を上記通信通知が通知する上記特定のアクセスポイントの位置情報に変更する変更工程と、
上記変更工程により変更された上記移動体通信装置の位置情報を上記移動体通信装置の位置詳細情報として上記移動体通信装置に対して出力する第二の出力工程と
を備えたことを特徴とする通信装置管理方法。
【請求項１６】
広域移動体通信網を用いて通信可能であり近距離無線を用いて複数のアクセスポイントを有する外部装置と通信可能な移動体通信装置と、上記移動体通信装置に通信可能な通信装置管理装置とがおこなう移動体通信網／近距離無線連携方法であって、
上記移動体通信装置が、自己の識別情報を記憶し、記憶された上記識別情報を上記広域移動体通信網を用いて出力し、上記近距離無線を用いて通信可能な上記外部装置の各アクセスポイントの接続情報を上記広域移動体通信網を用いて入力し、上記外部装置の各アクセスポイントの接続情報に基づきいずれかのアクセスポイントを介して上記外部装置と上記近距離無線を用いて通信し、特定のアクセスポイントを介して通信していることを通知する通信通知を上記近距離無線を用いて出力し、出力した上記通信通知が通知する上記特定のアクセスポイントの位置情報を自己の位置詳細情報として上記近距離無線を用いて入力し、
上記通信装置管理装置が、上記識別情報に基づく上記移動体通信装置の位置情報を上記広域移動体通信網を用いて入力し、上記移動体通信装置に対し、入力された上記位置情報に基づいて、上記近距離無線を用いて通信可能な上記外部装置の各アクセスポイントの接続情報を上記広域移動体通信網を用いて出力し、上記移動体通信装置と近距離無線通信装置とが特定のアクセスポイントを介して近距離無線を用いて通信していることを通知する通信通知を入力し、上記通信通知が通知する上記特定のアクセスポイントの位置情報を上記移動体通信装置の位置詳細情報として上記移動体通信装置に対して出力することを特徴とする移動体通信網／近距離無線連携方法。
【請求項１７】
広域移動体通信と近距離無線通信とを用いて通信をおこなうコンピュータに実行させるためのプログラムであって、
自己の位置情報を上記広域移動体通信網を用いて出力する広域通信網出力処理と、
上記広域通信網出力処理により出力された自己の位置情報に基づいて、上記近距離無線を用いて通信可能な外部装置の複数のアクセスポイントの接続情報を上記広域移動体通信網を用いて入力する広域通信網入力処理と、
上記広域通信網入力処理により入力された上記外部装置の複数のアクセスポイントの接続情報に基づいて、複数のアクセスポイントのうちのいずれかのアクセスポイントを介して上記外部装置と上記近距離無線を用いて通信し、特定のアクセスポイントを介して通信していることを通知する通信通知を上記近距離無線を用いて出力し、出力した上記通信通知が通知する上記特定のアクセスポイントの位置情報を自己の位置詳細情報として上記特定のアクセスポイントを介して上記近距離無線を用いて入力する近距離無線通信処理と
をコンピュータに実行させるためのプログラム。
【請求項１８】
近距離無線を用いて通信可能な移動体通信装置と複数のアクセスポイントを有する近距離無線通信装置とを管理するコンピュータに実行させるためのプログラムであって、
上記移動体通信装置の位置情報と上記近距離無線通信装置の位置情報と上記近距離無線通信装置の各アクセスポイントの接続情報と上記近距離無線装置の各アクセスポイントの位置情報とを記憶する記憶処理と、
上記記憶処理により記憶された上記移動体通信装置の位置情報と上記近距離無線通信装置の位置情報とが所定の基準により対応する上記移動体通信装置に対し、上記記憶処理により記憶された上記近距離無線通信装置の各アクセスポイントの接続情報を出力して上記移動体通信装置と上記近距離無線通信装置との近距離無線を用いた通信を可能にする第一の出力処理と、
上記出力処理により出力された上記近距離無線通信装置の各アクセスポイントの接続情報に基づいて、上記移動体通信装置と近距離無線通信装置とが特定のアクセスポイントを介して近距離無線を用いて通信していることを通知する通信通知を入力する入力処理と、
上記入力処理により入力された通信通知に基づいて、上記記憶処理により記憶された上記移動体通信装置の位置情報を上記通信通知が通知する上記特定のアクセスポイントの位置情報に変更する変更処理と、
上記変更処理により変更された上記移動体通信装置の位置情報を上記移動体通信装置の位置詳細情報として上記移動体通信装置に対して出力する第二の出力処理と
をコンピュータに実行させるためのプログラム。
【請求項１９】
近距離無線を用いて通信可能な移動体通信装置と複数のアクセスポイントを有する近距離無線通信装置とを管理するコンピュータに実行させるためのプログラムであって、
上記移動体通信装置の位置情報と上記近距離無線通信装置の位置情報と上記移動体通信装置の接続情報と上記近距離無線通信装置の各アクセスポイントの位置情報とを記憶する記憶処理と、
上記記憶処理により記憶された上記移動体通信装置の位置情報と上記近距離無線通信装置の位置情報とが所定の基準により対応する上記近距離無線通信装置に対し、上記記憶処理により記憶された上記移動体通信装置の接続情報を出力して上記移動体通信装置と近距離無線通信装置との近距離無線を介した通信を可能にする第一の出力処理と、
上記出力処理により出力された上記移動体通信装置の接続情報に基づいて、上記移動体通信装置と近距離無線通信装置とが特定のアクセスポイントを介して上記近距離無線を用いて通信していることを通知する通信通知を入力する入力処理と、
上記入力処理により入力された通信通知に基づいて、上記記憶処理により記憶された上記移動体通信装置の位置情報を上記通信通知が通知する上記特定のアクセスポイントの位置情報に変更する変更処理と、
上記変更処理により変更された上記移動体通信装置の位置情報を上記移動体通信装置の位置詳細情報として上記移動体通信装置に対して出力する第二の出力処理と
をコンピュータに実行させるためのプログラム。
【請求項２０】
広域移動体通信と近距離無線通信とを用いて通信をおこなうコンピュータに実行させるためのプログラムを記録したコンピュータ読み取り可能な記録媒体であって、
自己の位置情報を上記広域移動体通信網を用いて出力する広域通信網出力処理と、
上記広域通信網出力処理により出力された自己の位置情報に基づいて、上記近距離無線を用いて通信可能な外部装置の複数のアクセスポイントの接続情報を上記広域移動体通信網を用いて入力する広域通信網入力処理と、
上記広域通信網入力処理により入力された上記外部装置の複数のアクセスポイントの接続情報に基づいて、複数のアクセスポイントのうちのいずれかのアクセスポイントを介して上記外部装置と上記近距離無線を用いて通信し、特定のアクセスポイントを介して通信していることを通知する通信通知を上記近距離無線を用いて出力し、出力した上記通信通知が通知する上記特定のアクセスポイントの位置情報を自己の位置詳細情報として上記特定のアクセスポイントを介して上記近距離無線を用いて入力する近距離無線通信処理と
をコンピュータに実行させるためのプログラムを記録したコンピュータ読み取り可能な記録媒体。
【請求項２１】
近距離無線を用いて通信可能な移動体通信装置と複数のアクセスポイントを有する近距離無線通信装置とを管理するコンピュータに実行させるためのプログラムを記録したコンピュータ読み取り可能な記録媒体であって、
上記移動体通信装置の位置情報と上記近距離無線通信装置の位置情報と上記近距離無線通信装置の各アクセスポイントの接続情報と上記近距離無線装置の各アクセスポイントの位置情報とを記憶する記憶処理と、
上記記憶処理により記憶された上記移動体通信装置の位置情報と上記近距離無線通信装置の位置情報とが所定の基準により対応する上記移動体通信装置に対し、上記記憶処理により記憶された上記近距離無線通信装置の各アクセスポイントの接続情報を出力して上記移動体通信装置と上記近距離無線通信装置との近距離無線を用いた通信を可能にする第一の出力処理と、
上記出力処理により出力された上記近距離無線通信装置の各アクセスポイントの接続情報に基づいて、上記移動体通信装置と近距離無線通信装置とが特定のアクセスポイントを介して近距離無線を用いて通信していることを通知する通信通知を入力する入力処理と、
上記入力処理により入力された通信通知に基づいて、上記記憶処理により記憶された上記移動体通信装置の位置情報を上記通信通知が通知する上記特定のアクセスポイントの位置情報に変更する変更処理と、
上記変更処理により変更された上記移動体通信装置の位置情報を上記移動体通信装置の位置詳細情報として上記移動体通信装置に対して出力する第二の出力処理と
をコンピュータに実行させるためのプログラムを記録したコンピュータ読み取り可能な記録媒体。
【請求項２２】
近距離無線を用いて通信可能な移動体通信装置と複数のアクセスポイントを有する近距離無線通信装置とを管理するコンピュータに実行させるためのプログラムを記録したコンピュータ読み取り可能な記録媒体であって、
上記移動体通信装置の位置情報と上記近距離無線通信装置の位置情報と上記移動体通信装置の接続情報と上記近距離無線通信装置の各アクセスポイントの位置情報とを記憶する記憶処理と、
上記記憶処理により記憶された上記移動体通信装置の位置情報と上記近距離無線通信装置の位置情報とが所定の基準により対応する上記近距離無線通信装置に対し、上記記憶処理により記憶された上記移動体通信装置の接続情報を出力して上記移動体通信装置と近距離無線通信装置との近距離無線を介した通信を可能にする第一の出力処理と、
上記出力処理により出力された上記移動体通信装置の接続情報に基づいて、上記移動体通信装置と近距離無線通信装置とが特定のアクセスポイントを介して上記近距離無線を用いて通信していることを通知する通信通知を入力する入力処理と、
上記入力処理により入力された通信通知に基づいて、上記記憶処理により記憶された上記移動体通信装置の位置情報を上記通信通知が通知する上記特定のアクセスポイントの位置情報に変更する変更処理と、
上記変更処理により変更された上記移動体通信装置の位置情報を上記移動体通信装置の位置詳細情報として上記移動体通信装置に対して出力する第二の出力処理と
をコンピュータに実行させるためのプログラムを記録したコンピュータ読み取り可能な記録媒体。
【発明の詳細な説明】
【０００１】
【発明の属する技術分野】
本発明は、移動体通信装置に関する。また、通信装置管理装置に関する。また、移動体通信網／近距離無線連携システムに関する。また、移動体通信装置の通信方法に関する。また、通信装置管理方法に関する。また、移動体通信網／近距離無線連携方法に関する。また、コンピュータに実行させるためのプログラムに関する。また、コンピュータに実行させるためのプログラムを記録したコンピュータ読み取り可能な記録媒体に関する。
【０００２】
【従来の技術】
特開２０００−３２０３２号公報に従来技術としての移動体通信網／近距離無線連携システムに関する技術が記載されている。
図１６は、従来技術を示す図である。
図１６において、１は、イーサネット（登録商標である。以下、同様）バックボーン、１０は、端末、１５は、セルラ移動サービス、１６は、無線ＬＡＮ（Ｌｏｃａｌ  Ａｅｒａ  Ｎｅｔｗｏｒｋ）、１７は、セルラ移動サービス、１８は、公衆交通電話サービス、１９は、ダイヤルアップサーバである。
端末１０は、常時、無線ＬＡＮ１６およびセルラ移動サービス１５，１７と通信し、これら２つのインターフェースの現在の信号強度を決定する。そして、端末１０が、イーサネットバックボーン１を使用するにあたり、無線ＬＡＮ１６とセルラ移動サービス１５，１７とのどちらを介して通信するかのスイッチングの判断は、上記信号強度によって、おこなっている。
【０００３】
【発明が解決しようとする課題】
上記従来技術においては、使用するインターフェースの接続先切り替えを、その信号強度によって行っているため、常時２つのインターフェースでの受信が必要であり、無駄な電力を消費する。また、既知の近距離無線としか通信できなく利便性に乏しいといった問題がある。
【０００４】
本発明は、低消費電力化を可能にすることを目的とする。
【０００５】
また、安価な大容量通信を可能にすることを目的とする。
【０００６】
また、接続指定による利便性向上を図ることを目的とする。
【０００７】
また、ネットワークサービスの向上を図ることを目的とする。
【０００８】
また、常時受信による無駄な消費電力を抑えながら、適切にアクセス先の選択を可能にすることを目的とする。
【０００９】
【課題を解決するための手段】
本発明の移動体通信装置は、広域移動体通信と近距離無線通信とを用いて通信をおこなう移動体通信装置であって、
自己の位置情報を上記広域移動体通信網を用いて出力する広域通信網出力部と、
上記広域通信網出力部により出力された自己の位置情報に基づいて、上記近距離無線を用いて通信可能な外部装置の接続情報を上記広域移動体通信網を用いて入力する広域通信網入力部と、
上記広域通信網入力部により入力された上記外部装置の接続情報に基づいて、上記外部装置の接続情報に対応する外部装置と上記近距離無線を用いて通信する近距離無線通信部と
を備えたことを特徴とする。
【００１０】
また、上記外部装置は、インターネットに接続され、
上記近距離無線通信部は、上記外部装置を介してインターネットを用いて通信することを特徴とする。
【００１１】
また、上記近距離無線通信部は、上記広域通信網入力部により上記外部装置の接続情報が入力された後に、上記近距離無線に接続することを特徴とする。
【００１２】
また、上記広域移動体通信網は、インターネットに接続可能に配置され、
上記広域通信網入力部は、上記広域移動体通信網を介してインターネットに接続され、
上記移動体通信装置は、上記近距離無線通信部が上記外部装置と上記近距離無線を用いて通信する間、上記広域移動体通信網との接続を切断し、上記インターネットとの接続を遮断することを特徴とする。
【００１３】
本発明の通信装置管理装置は、近距離無線を用いて通信可能な移動体通信装置と近距離無線通信装置とを管理する通信装置管理装置であって、
上記移動体通信装置の位置情報と上記近距離無線通信装置の位置情報と上記近距離無線通信装置の接続情報とを記憶する記憶部と、
上記記憶部により記憶された上記移動体通信装置の位置情報と上記近距離無線通信装置の位置情報とが所定の基準により対応する上記移動体通信装置に対し、上記記憶部により記憶された上記近距離無線通信装置の位置情報と上記近距離無線通信装置の接続情報とを出力して上記移動体通信装置と近距離無線通信装置との近距離無線を介した通信を可能にする出力部と、
上記出力部により出力された上記近距離無線通信装置の位置情報と上記近距離無線通信装置の接続情報とに基づいて、上記移動体通信装置と近距離無線通信装置とが近距離無線を介して通信したことを通知する通信通知を入力する入力部と、
上記入力部により入力された通信通知に基づいて、上記記憶部により記憶された上記移動体通信装置の位置情報を変更する変更部と
を備えたことを特徴とする。
【００１４】
本発明の通信装置管理装置は、近距離無線を用いて通信可能な移動体通信装置と近距離無線通信装置とを管理する通信装置管理装置であって、
上記移動体通信装置の位置情報と上記近距離無線通信装置の位置情報と上記移動体通信装置の接続情報を記憶する記憶部と、
上記記憶部により記憶された上記移動体通信装置の位置情報と上記近距離無線通信装置の位置情報とが所定の基準により対応する上記近距離無線通信装置に対し、上記記憶部により記憶された上記移動体通信装置の接続情報を出力して上記移動体通信装置と近距離無線通信装置との近距離無線を介した通信を可能にする出力部と、
上記出力部により出力された上記移動体通信装置の接続情報に基づいて、上記移動体通信装置と近距離無線通信装置とが上記近距離無線を用いて通信したことを通知する通信通知を入力する入力部と、
上記入力部により入力された通信通知に基づいて、上記記憶部により記憶された上記移動体通信装置の位置情報を変更する変更部と
を備えたことを特徴とする。
【００１５】
また、上記入力部は、さらに、上記移動体通信装置の位置情報を入力し、
上記変更部は、上記入力部により入力された上記移動体通信装置の位置情報に基づいて、上記記憶部に記憶された上記移動体通信装置の位置情報を変更することを特徴とする。
【００１６】
また、上記通信通知は、上記移動体通信装置の識別情報と上記近距離無線通信装置の識別情報とを有し、
上記変更部は、上記近距離無線通信装置の識別情報に基づき、上記記憶部に記憶された上記近距離無線通信装置の位置情報を特定し、上記移動体通信装置の識別情報に基づき、上記移動体通信装置が上記近距離無線通信装置と近距離に位置すると判断し、上記記憶部に記憶された上記移動体通信装置の位置情報を上記近距離無線通信装置の位置情報と同位置に変更することを特徴とする。
【００１７】
本発明の移動体通信網／近距離無線連携システムは、
近距離無線を用いて通信可能な外部装置と、
広域移動体通信と近距離無線通信とを用いて通信可能に配置され、自己の識別情報を記憶し、記憶された上記識別情報を上記広域移動体通信網を用いて出力し、上記近距離無線を用いて通信可能な上記外部装置の接続情報を上記広域移動体通信網を用いて入力し、上記外部装置の接続情報に基づき上記外部装置と上記近距離無線を用いて通信する移動体通信装置と、
上記識別情報に基づく上記移動体通信装置の位置情報を上記広域移動体通信網を用いて入力し、上記移動体通信装置に対し、入力された上記位置情報に基づいて、上記近距離無線を用いて通信可能な外部装置の接続情報を上記広域移動体通信網を用いて出力する通信装置管理装置と
を備えたことを特徴とする。
【００１８】
また、上記外部装置は、複数のアクセスポイントと、上記複数のアクセスポイントとローカルエリアネットワークを介して接続され、上記複数のアクセスポイントを制御するアクセスポイントサーバとを有し、
上記移動体通信装置は、上記複数のアクセスポイントのいずれかを介して上記アクセスポイントサーバと通信することを特徴とする。
【００１９】
また、上記アクセスポイントサーバは、インターネットに接続可能に配置され、
上記移動体通信装置は、上記アクセスポイントサーバを介してインターネットを用いて通信することを特徴とする。
【００２０】
また、上記通信装置管理装置は、上記アクセスポイントサーバに対し、入力された上記位置情報を出力し、
上記アクセスポイントサーバは、上記移動体通信装置との通信に先立ち、上記移動体通信装置に対し、上記位置情報に基づいて上記近距離無線を用いて上記複数のアクセスポイントのいずれかを介して発呼することを特徴とする。
【００２１】
本発明の移動体通信装置の通信方法は、広域移動体通信と近距離無線通信とを用いて通信をおこなう移動体通信装置の通信方法であって、
自己の位置情報を上記広域移動体通信網を用いて出力する広域通信網出力工程と、
上記広域通信網出力工程により出力された自己の位置情報に基づいて、上記近距離無線を用いて通信可能な外部装置の接続情報を上記広域移動体通信網を用いて入力する広域通信網入力工程と、
上記広域通信網入力工程により入力された上記外部装置の接続情報に基づいて、上記外部装置の接続情報に対応する外部装置と上記近距離無線を用いて通信する近距離無線通信工程と
を備えたことを特徴とする。
【００２２】
本発明の通信装置管理方法は、近距離無線を用いて通信可能な移動体通信装置と近距離無線通信装置とを管理する通信装置管理装置がおこなう通信装置管理方法であって、
上記移動体通信装置の位置情報と上記近距離無線通信装置の位置情報と上記近距離無線通信装置の接続情報とを記憶する記憶工程と、
上記記憶工程に記憶された上記移動体通信装置の位置情報と上記近距離無線通信装置の位置情報とが所定の基準により対応する上記移動体通信装置に対し、上記記憶工程により記憶された上記近距離無線通信装置の位置情報と上記近距離無線通信装置の接続情報とを出力して上記移動体通信装置と近距離無線通信装置との近距離無線を介した通信を可能にする出力工程と、
上記出力工程により出力された上記近距離無線通信装置の位置情報と上記近距離無線通信装置の接続情報とに基づいて、上記移動体通信装置と近距離無線通信装置とが近距離無線を介して通信したことを通知する通信通知を入力する入力工程と、
上記入力工程により入力された通信通知に基づいて、上記記憶工程により記憶された上記移動体通信装置の位置情報を変更する変更工程と
を備えたことを特徴とする。
【００２３】
本発明の通信装置管理方法は、近距離無線を用いて通信可能な移動体通信装置と近距離無線通信装置とを管理する通信装置管理装置がおこなう通信装置管理方法であって、
上記移動体通信装置の位置情報と上記近距離無線通信装置の位置情報と上記移動体通信装置の接続情報を記憶する記憶工程と、
上記記憶工程により記憶された上記移動体通信装置の位置情報と上記近距離無線通信装置の位置情報とが所定の基準により対応する上記近距離無線通信装置に対し、上記記憶工程により記憶された上記移動体通信装置の接続情報を出力して上記移動体通信装置と近距離無線通信装置との近距離無線を介した通信を可能にする出力工程と、
上記出力工程により出力された上記移動体通信装置の接続情報に基づいて、上記移動体通信装置と近距離無線通信装置とが上記近距離無線を用いて通信したことを通知する通信通知を入力する入力工程と、
上記入力工程により入力された通信通知に基づいて、上記記憶工程により記憶された上記移動体通信装置の位置情報を変更する変更工程と
を備えたことを特徴とする。
【００２４】
本発明の移動体通信網／近距離無線連携方法は、広域移動体通信網を用いて通信可能であり近距離無線を用いて外部装置と通信可能な移動体通信装置と、上記移動体通信装置に通信可能な通信装置管理装置とがおこなう移動体通信網／近距離無線連携方法であって、
上記移動体通信装置が、自己の識別情報を記憶し、記憶された上記識別情報を上記広域移動体通信網を用いて出力し、上記近距離無線を用いて通信可能な上記外部装置の接続情報を上記広域移動体通信網を用いて入力し、上記外部装置の接続情報に基づき上記外部装置と上記近距離無線を用いて通信し、
上記通信装置管理装置が、上記識別情報に基づく上記移動体通信装置の位置情報を上記広域移動体通信網を用いて入力し、上記移動体通信装置に対し、入力された上記位置情報に基づいて、上記近距離無線を用いて通信可能な外部装置の接続情報を上記広域移動体通信網を用いて出力することを特徴とする。
【００２５】
本発明のコンピュータに実行させるためのプログラムは、広域移動体通信と近距離無線通信とを用いて通信をおこなうコンピュータに実行させるためのプログラムであって、
自己の位置情報を上記広域移動体通信網を用いて出力する広域通信網出力処理と、
上記広域通信網出力処理により出力された自己の位置情報に基づいて、上記近距離無線を用いて通信可能な外部装置の接続情報を上記広域移動体通信網を用いて入力する広域通信網入力処理と、
上記広域通信網入力処理により入力された上記外部装置の接続情報に基づいて、上記外部装置の接続情報に対応する外部装置と上記近距離無線を用いて通信する近距離無線通信処理と
を備えたことを特徴とする。
【００２６】
本発明のコンピュータに実行させるためのプログラムは、近距離無線を用いて通信可能な移動体通信装置と近距離無線通信装置とを管理するコンピュータに実行させるためのプログラムであって、
上記移動体通信装置の位置情報と上記近距離無線通信装置の位置情報と上記近距離無線通信装置の接続情報とを記憶する記憶処理と、
上記記憶処理に記憶された上記移動体通信装置の位置情報と上記近距離無線通信装置の位置情報とが所定の基準により対応する上記移動体通信装置に対し、上記記憶処理により記憶された上記近距離無線通信装置の位置情報と上記近距離無線通信装置の接続情報とを出力して上記移動体通信装置と近距離無線通信装置との近距離無線を介した通信を可能にする出力処理と、
上記出力処理により出力された上記近距離無線通信装置の位置情報と上記近距離無線通信装置の接続情報とに基づいて、上記移動体通信装置と近距離無線通信装置とが近距離無線を介して通信したことを通知する通信通知を入力する入力処理と、
上記入力処理により入力された通信通知に基づいて、上記記憶処理により記憶された上記移動体通信装置の位置情報を変更する変更処理と
を備えたことを特徴とする。
【００２７】
本発明のコンピュータに実行させるためのプログラムは、近距離無線を用いて通信可能な移動体通信装置と近距離無線通信装置とを管理するコンピュータに実行させるためのプログラムであって、
上記移動体通信装置の位置情報と上記近距離無線通信装置の位置情報と上記移動体通信装置の接続情報を記憶する記憶処理と、
上記記憶処理により記憶された上記移動体通信装置の位置情報と上記近距離無線通信装置の位置情報とが所定の基準により対応する上記近距離無線通信装置に対し、上記記憶処理により記憶された上記移動体通信装置の接続情報を出力して上記移動体通信装置と近距離無線通信装置との近距離無線を介した通信を可能にする出力処理と、
上記出力処理により出力された上記移動体通信装置の接続情報に基づいて、上記移動体通信装置と近距離無線通信装置とが上記近距離無線を用いて通信したことを通知する通信通知を入力する入力処理と、
上記入力処理により入力された通信通知に基づいて、上記記憶処理により記憶された上記移動体通信装置の位置情報を変更する変更処理と
を備えたことを特徴とする。
【００２８】
本発明のコンピュータに実行させるためのプログラムを記録したコンピュータ読み取り可能な記録媒体は、広域移動体通信と近距離無線通信とを用いて通信をおこなうコンピュータに実行させるためのプログラムを記録したコンピュータ読み取り可能な記録媒体であって、
自己の位置情報を上記広域移動体通信網を用いて出力する広域通信網出力処理と、
上記広域通信網出力処理により出力された自己の位置情報に基づいて、上記近距離無線を用いて通信可能な外部装置の接続情報を上記広域移動体通信網を用いて入力する広域通信網入力処理と、
上記広域通信網入力処理により入力された上記外部装置の接続情報に基づいて、上記外部装置の接続情報に対応する外部装置と上記近距離無線を用いて通信する近距離無線通信処理と
を備えたことを特徴とする。
【００２９】
本発明のコンピュータに実行させるためのプログラムを記録したコンピュータ読み取り可能な記録媒体は、近距離無線を用いて通信可能な移動体通信装置と近距離無線通信装置とを管理するコンピュータに実行させるためのプログラムを記録したコンピュータ読み取り可能な記録媒体であって、
上記移動体通信装置の位置情報と上記近距離無線通信装置の位置情報と上記近距離無線通信装置の接続情報とを記憶する記憶処理と、
上記記憶処理に記憶された上記移動体通信装置の位置情報と上記近距離無線通信装置の位置情報とが所定の基準により対応する上記移動体通信装置に対し、上記記憶処理により記憶された上記近距離無線通信装置の位置情報と上記近距離無線通信装置の接続情報とを出力して上記移動体通信装置と近距離無線通信装置との近距離無線を介した通信を可能にする出力処理と、
上記出力処理により出力された上記近距離無線通信装置の位置情報と上記近距離無線通信装置の接続情報とに基づいて、上記移動体通信装置と近距離無線通信装置とが近距離無線を介して通信したことを通知する通信通知を入力する入力処理と、
上記入力処理により入力された通信通知に基づいて、上記記憶処理により記憶された上記移動体通信装置の位置情報を変更する変更処理と
を備えたことを特徴とする。
【００３０】
本発明のコンピュータに実行させるためのプログラムを記録したコンピュータ読み取り可能な記録媒体は、近距離無線を用いて通信可能な移動体通信装置と近距離無線通信装置とを管理するコンピュータに実行させるためのプログラムを記録したコンピュータ読み取り可能な記録媒体であって、
上記移動体通信装置の位置情報と上記近距離無線通信装置の位置情報と上記移動体通信装置の接続情報を記憶する記憶処理と、
上記記憶処理により記憶された上記移動体通信装置の位置情報と上記近距離無線通信装置の位置情報とが所定の基準により対応する上記近距離無線通信装置に対し、上記記憶処理により記憶された上記移動体通信装置の接続情報を出力して上記移動体通信装置と近距離無線通信装置との近距離無線を介した通信を可能にする出力処理と、
上記出力処理により出力された上記移動体通信装置の接続情報に基づいて、上記移動体通信装置と近距離無線通信装置とが上記近距離無線を用いて通信したことを通知する通信通知を入力する入力処理と、
上記入力処理により入力された通信通知に基づいて、上記記憶処理により記憶された上記移動体通信装置の位置情報を変更する変更処理と
を備えたことを特徴とする。
【００３１】
【発明の実施の形態】
実施の形態１．
図１は、実施の形態１におけるシステム構成を示す図である。
図１において、１０１は、広域移動体通信網、１０２は、移動体通信端末（移動体通信装置の一例である。）、１０３は、広域移動体通信網基地局、１０４は、インタネット、１０５は、網間ゲートウェイ、１０６は、ＬＡＰ（ＬｏｃａｌＡｃｃｅｓｓ  Ｐｏｉｎｔ）（アクセスポイントの一例である。）、１０７は、サーバ（アクセスポイントサーバの一例である。）、１０８は、移動体端末管理装置（通信装置管理装置の一例である。）、１１０は、広域移動体通信、１１１は、広域体通信網、１１２は、近距離無線、１１３は、ＬＡＮ（ローカルエリアネットワーク）、１１４は、外部装置（近距離無線通信装置の一例である。）である。
外部装置１１４は、複数のＬＡＰ１０６とサーバ１０７とを備えている。広域移動体通信網１０１は、広域移動体通信１１０、広域移動体通信網基地局１０３、広域体通信網１１１を備えている。
移動体通信端末１０２は、広域移動体通信網１０１との通信手段を備え、かつ少なくとも１つの近距離無線通信１１２を使用したＬＡＰ１０６との通信手段をもつ。移動体通信端末１０２は、広域移動体通信網１０１或いは近距離無線通信１１２を介してインタネット１０４と接続する。広域移動体通信網基地局１０３は、移動体通信端末１０２と広域移動体通信網１０１を介して外部との通信をおこなうための基地局である。網間ゲートウェイ１０５は、広域移動体通信網１０１とインタネット１０４とをインターフェースする。ＬＡＰ１０６は、近距離無線通信１１２で接続してきたユーザーである移動体通信端末１０２をサーバ１０７を介してインタネット１０４へ接続する。サーバ１０７は、インタネット１０４に接続され、エリア情報が蓄えられたＬＡＰ１０６のサーバである。移動体端末管理装置１０８は、移動体通信端末１０２の加入者情報、位置情報、課金情報および各種設定情報（接続情報の一例である。）を管理し、かつ広域移動体通信網１０１の後述するゾーンに対応したＬＡＰ１０６の位置情報および各種設定情報（接続情報の一例である。）を管理し、かつ広域移動体通信網１０１を介して移動体通信端末１０２と通信を行い、およびインタネット１０４、サーバ１０７を介してＬＡＰ１０６と通信を行う。
【００３２】
図２は、移動体通信端末のブロック図である。
図２において、２１は、広域通信網出力部、２２は、広域通信網入力部、２３は、近距離無線通信部である。移動体通信端末１０２、広域移動体通信１１０と近距離無線通信１１２は、図１と同様である。
移動体通信端末１０２は、広域通信網出力部２１、広域通信網入力部２２、近距離無線通信部２３を備えている。
【００３３】
図３は、移動体端末管理装置のブロック図である。
図３において、３１は、記憶部、３２は、出力部、３３は、入力部、３４は、変更部である。移動体端末管理装置１０８、移動体通信端末１０２、サーバ１０７は、図１と同様である。
移動体端末管理装置１０８は、記憶部３１、出力部３２、入力部３３、変更部３４を備えている。
【００３４】
本実施の形態１におけるシステムでのサービスを受けるに先立ち、移動体通信端末１０２とＬＡＰ１０６およびサーバ１０７とは本サービスへの契約を行い、移動体端末管理装置１０８に登録する。
ここで、本実施の形態１では、移動体端末管理装置１０８と移動体通信端末１０２との間、および移動体端末管理装置１０８とＬＡＰ１０６との間、および移動体通信端末１０２とＬＡＰ１０６との間で通信を行う場合は、通信開始時に、まず、ＳＬＬ等の機能を利用して通信内容の暗号化、当該サービス登録済みであるかの相手認証、そして伝送中にメッセージの改竄が無いようメッセージ認証を行うようにしている。しかしながら、通信内容の暗号化、相手認証、メッセージ認証を行うかは、任意であり、通信内容の暗号化、相手認証、または、メッセージ認証を一部或いは全部行わない場合であってもよい。
【００３５】
本実施の形態１では、移動体通信端末１０２から近距離無線通信１１２を起動しＬＡＰ１０６とのリンクを確立する場合について説明する。
移動体端末管理装置１０８は、広域移動体通信網１０１の後述する各ゾーン内に存在するＬＡＰ１０６の接続情報として、ネットワークＩＤ（近距離無線通信装置の識別情報、外部装置の接続情報、近距離無線通信装置の接続情報の一例である。）、チャネル情報（外部装置の接続情報、近距離無線通信装置の接続情報の一例である。）、エリア情報（近距離無線通信装置の位置情報の一例である。）などを管理する。
また、移動体端末管理装置１０８は、広域移動体通信網１０１に存在する広域移動体通信網基地局１０３から入力する移動体通信端末１０２の位置情報（移動体通信装置の識別情報、移動体通信装置の位置情報の一例である。）、および近距離無線通信１１２の接続情報として、予め登録された移動体通信端末１０２のネットワークＩＤ（識別情報、移動体通信装置の識別情報の一例である。）、チャネル情報（移動体通信装置の接続情報の一例である。）などを管理する。
【００３６】
図４は、移動体端末管理装置のＬＡＰ管理テーブルを示す図である。
図４において、ＬＡＰ管理テーブルは、後述するゾーンの識別情報である「ＢＴＳ１、ＢＴＳ２、ＢＴＳ３、…」と、各ゾーンに存在するＬＡＰ１０６の番号（ＬＡＰＮｏ．）である「１，２，３、…」と、各ＬＡＰ１０６の番号に対応するＬＡＰ１０６の識別情報であるＬＡＰ１０６のネットワークＩＤとしての「Ｌｏｃａｌ１１、Ｌｏｃａｌ１２、Ｌｏｃａｌ１３、…、Ｌｏｃａｌ３１、Ｌｏｃａｌ３２…」と、各ＬＡＰ１０６の接続情報であるチャネル情報としての「Ａ，Ｂ，Ｃ，Ｘ，Ｙ，…」（Ａ，Ｂ，Ｃ，Ｘ，Ｙ，…は、例えば、通信周波数である。）と、各ＬＡＰ１０６の位置情報（エリア情報）である「ｍ番地、ｎ番地、ｏ番地、ｐ番地、ｑ番地、…」を記憶している。
【００３７】
図５は、移動体端末管理装置の移動体通信端末管理テーブルを示す図である。図５において、移動体通信端末管理テーブルは、移動体通信端末１０２の番号（ＭＳ（Ｍｏｂｉｌｅ  Ｓｔａｔｉｏｎ）  Ｎｏ．）である「１，２，３、…」と、各移動体通信端末１０２の番号に対応する移動体通信端末１０２の識別情報である移動体通信端末１０２のネットワークＩＤとしての「ＭＳ１、ＭＳ２、ＭＳ３、…」と、各移動体通信端末１０２の接続情報であるチャネル情報としての「ａ，ｂ，ｃ…」（ａ，ｂ，ｃ…は、例えば、通信周波数である。）と、各移動体通信端末１０２が後述するどのゾーンにあるかを示す位置情報である「ＢＴＳ１、ＢＴＳ２、ＢＴＳ３、…」と、各移動体通信端末１０２の詳細位置情報である「ｍ番地、ｑ番地、…」を記憶している。
上記各ＬＡＰ１０６の接続情報であるチャネル情報としての「Ａ，Ｂ，Ｃ，Ｘ，Ｙ，…」の「Ａ」と上記各移動体通信端末１０２の接続情報であるチャネル情報としての「ａ，ｂ，ｃ…」の「ａ」とは、同じ情報であってもよいし、違う場合であってもよい。「Ｂ」と「ｂ」、「Ｃ」と「ｃ」も同様である。
【００３８】
図６は、ゾーン構成を示す図である。
図６において、６１は、ＢＴＳ（Ｂａｓｅ  Ｔｒａｎｓｃｅｉｖｅｒ  Ｓｔａｔｉｏｎ）１ゾーン、６２は、ＢＴＳ２ゾーン、６３は、ＢＴＳ３ゾーンである。上記各ＢＴＳゾーンは、広域移動体通信網１０１に存在する複数の広域移動体通信網基地局１０３のうちそれぞれが担当する地域を示している。
図６において、ＢＴＳ１ゾーン６１には、例えば、ＬＡＰ１１、ＬＡＰ１２、ＬＡＰ１３の番号を有する複数のＬＡＰ１０６が存在する。そして、各ＬＡＰ１０６が近距離無線通信１１２を介して通信することができる範囲をＬＡＰエリア（例えば、ＬＡＰ１１エリア、ＬＡＰ１２エリア、ＬＡＰ１３エリア）として示している。ここでは、ＭＳ１の番号を有する移動体通信端末１０２が、ＢＴＳ１ゾーン６１内のＬＡＰ１１エリアにあることを示している。
ＢＴＳ２ゾーン６２には、ＬＡＰ１０６が存在しないが、ＭＳ２の番号を有する移動体通信端末１０２がＢＴＳ２ゾーン６２内にあることを示している。
ＢＴＳ３ゾーン６３には、ＬＡＰ３１、ＬＡＰ３２の番号を有する複数のＬＡＰ１０６が存在し、ＭＳ３の番号を有する移動体通信端末１０２がＢＴＳ３ゾーン６３内のＬＡＰ３２エリアにあることを示している。
ここで、移動体通信端末１０２は、各ＬＡＰエリアの内外、及び各ゾーンの内外を自由に移動することができる。実施の形態１においては、例えば、図６の状態を想定している。
【００３９】
図７は、移動体通信端末から近距離無線通信を起動する場合のシーケンスを示す図である。
図７においては、図６におけるＢＴＳ３ゾーン６３の状態を想定している。
Ｓ（ステップ）７０１において、移動体通信端末１０２における広域通信網出力部２１は、移動体通信端末１０２が現在存在するゾーンを担当する広域移動体通信網基地局１０３に広域移動体通信１１０を用いて自己の識別情報を出力する。広域移動体通信網基地局１０３は、上記入力された識別情報に基づいて、移動体通信端末１０２が存在するゾーンを登録する。
Ｓ７０２において、移動体端末管理装置１０８は、広域体通信網１１１を介して広域移動体通信網基地局１０３より移動体通信端末１０２が存在するゾーンを位置情報として入力する。
Ｓ７０４において、移動体端末管理装置１０８は、移動体通信端末１０２がＬＡＰ１０６の存在するゾーンに移動してきたことを位置情報により検出すると、移動体通信端末１０２に図４で示された当該ゾーン内のＬＡＰ１０６接続情報のリストを広域移動体通信網１０１経由で通知する。移動体通信端末１０２における広域通信網入力部２２は、ＬＡＰ１０６接続情報のリストを入力する。
ここで、Ｓ７０３のように、ＬＡＰ１０６接続情報のリスト通知は移動体通信端末１０２から要求されたときのみ行っても良い。
Ｓ７０５において、移動体通信端末１０２における近距離無線通信部２３は、ユーザからＬＡＰ１０６のサーバ１０７が有するデータ或いはインタネット１０４を介して外部からのデータ（例えば、コンテンツ）のダウンロード要求があると、移動体端末管理装置１０８から通知されたＬＡＰ１０６接続情報に従って、近距離無線通信１１２を起動し、ＬＡＰ３１（ＬＡＰ１）の番号を持つＬＡＰ１０６とのリンクの確立要求を何回か試みる。Ｓ７０５では、確立要求を試みたＬＡＰ１０６が近距離無線通信１１２の通信圏外にあることを示している。
Ｓ７０６において、移動体通信端末１０２における近距離無線通信部２３は、ＬＡＰ１０６接続情報のリストに基づいて、移動体通信端末１０２が存在するゾーン内の別のＬＡＰ３２（ＬＡＰ２）の番号を持つＬＡＰ１０６とのリンクの確立要求を何回か試みる。
Ｓ７０７において、リンクの確立するＬＡＰ１０６があれば、ＬＡＰ１０６では、移動体通信端末１０２からのリンク確立要求があるとそれに応答する。すなわち、ＬＡＰ１０６は、近距離無線通信１１２を介して移動体通信端末１０２にリンク確立応答を出力する。
Ｓ７０８において、移動体通信端末１０２は、広域移動体通信網基地局１０３を介した広域移動体通信網１０１の回線を切断する。
Ｓ７０９において、ＬＡＰ１０６は、リンクが確立すると、移動体端末管理装置１０８に前記移動体通信端末１０２が当該ＬＡＰ１０６のエリアにいることを通知するためにリンク確立通知（通信通知の一例である。）をインタネット１０４経由で行う。すなわち、リンクの確立するＬＡＰ１０６は、移動体通信端末１０２との間でリンクの確立したことを通知するリンク確立通知をサーバ１０７を介してインタネット１０４経由で移動体端末管理装置１０８に出力する。また、ＬＡＰ１０６は、圏外などでリンクが確立できなくなった場合には、移動体端末管理装置１０８に前記移動体通信端末１０２が当該ＬＡＰ１０６のエリア外に出たことを通知するためにリンク開放通知をインタネット１０４経由で行う。
Ｓ７１０において、移動体通信端末１０２における近距離無線通信部２３は、は、広域移動体通信網１０１を介したダイヤルアップ接続ではなく近距離無線通信１１２を介して当該ＬＡＰ１０６経由でのインタネットアクセスを行う。
Ｓ７０５，Ｓ７０６において、リンクの確立ができない場合は、近距離無線通信１１２の起動を停止し、ダイヤルアップ接続による広域移動体通信網１０１経由でのインタネット１０４とのアクセスを行う。
また、ＬＡＰ１０６のエリア外になった場合は、再度ＬＡＰ１０６接続情報のリストにある他のＬＡＰ１０６とのリンク確立を何回か試す。そして、リンクの確立するＬＡＰ１０６があれば、ダイヤルアップ接続ではなく近距離無線通信１１２を介して当該ＬＡＰ１０６経由でのインタネット１０４とのアクセスを行う。
リンクを確立できない場合は、近距離無線通信１１２の起動を停止し、ダイヤルアップ接続による広域移動体通信網１０１経由でのインタネット１０４とのアクセスを行う。
ダウンロード要求された情報のダウンロードが終了したら、近距離無線通信１１２を停止する。
【００４０】
図８は、移動体通信端末から近距離無線通信を起動する場合の移動体通信端末フローを示す図である。
図８においては、図６におけるＢＴＳ３ゾーン６３の状態を想定している。図８においては、図７における移動体通信端末１０２のフローを示している。
Ｓ８０１において、移動体通信端末１０２は、移動体端末管理装置１０８との広域移動体通信網１０１経由での通信に先立ち、当該移動体通信端末１０２が移動体端末管理装置１０８に登録された移動体通信端末１０２であることの認証を受ける。
Ｓ８０２において、移動体通信端末１０２における広域通信網入力部２２は、移動体端末管理装置１０８からＬＡＰ１０６接続情報のリストであるＬＡＰ１０６情報を受信する。
Ｓ８０３において、移動体通信端末１０２は、ユーザーからＬＡＰ１０６のサーバ１０７が有するデータ或いはインタネット１０４を介して外部からのデータのダウンロード要求があるかを判断する。なければ、ダウンロード要求を待つ。Ｓ８０４において、移動体通信端末１０２における近距離無線通信部２３は、近距離無線通信１１２を起動する。
Ｓ８０５において、移動体通信端末１０２は、ＬＡＰ３１（ＬＡＰ１）という番号のＬＡＰ１０６との近距離無線通信１１２経由での通信に先立ち、ＬＡＰ１０６経由でサーバ１０７に対し、当該移動体通信端末１０２が移動体端末管理装置１０８に登録された移動体通信端末１０２であることの認証を受ける。ここで、サーバ１０７は、前もって、移動体端末管理装置１０８より、移動体端末管理装置１０８に登録された移動体通信端末１０２に関する情報を入力し、登録しておく。
Ｓ８０６において、移動体通信端末１０２における近距離無線通信部２３は、ＬＡＰ３１（ＬＡＰ１）という番号のＬＡＰ１０６にリンク確立要求を出力する。
Ｓ８０７において、移動体通信端末１０２は、ＬＡＰ３１（ＬＡＰ１）という番号のＬＡＰ１０６とのリンクが確立したかを判断する。
Ｓ８０８において、ＬＡＰ３１（ＬＡＰ１）という番号のＬＡＰ１０６とのリンクが確立しない場合に、ＬＡＰ３２（ＬＡＰ２）という番号のＬＡＰ１０６との近距離無線通信１１２経由での通信に先立ち、ＬＡＰ１０６経由でサーバ１０７に対し、当該移動体通信端末１０２が移動体端末管理装置１０８に登録された移動体通信端末１０２であることの認証を受ける。ここで、サーバ１０７は、前もって、移動体端末管理装置１０８より、移動体端末管理装置１０８に登録された移動体通信端末１０２に関する情報を入力し、登録しておく。
Ｓ８０９において、移動体通信端末１０２における近距離無線通信部２３は、ＬＡＰ３２（ＬＡＰ２）という番号のＬＡＰ１０６にリンク確立要求を出力する。
Ｓ８１０において、移動体通信端末１０２は、ＬＡＰ３２（ＬＡＰ２）という番号のＬＡＰ１０６とのリンクが確立したかを判断する。
Ｓ８１１において、ＬＡＰ３２（ＬＡＰ２）という番号のＬＡＰ１０６とのリンクが確立しない場合に、移動体通信端末１０２は、ＬＡＰ３１（ＬＡＰ１）という番号のＬＡＰ１０６との近距離無線通信１１２経由での通信を再度試みる回数に達したかを判断する。ここで、移動体通信端末１０２は、予め、ＬＡＰ１０６とのリンクが確立しない場合に、ユーザーより何回再度試みるかの回数（ｎ）を入力しておく。入力された回数に達していない場合には、Ｓ８０５に戻る。
Ｓ８１２において、入力された回数に達した場合に、移動体通信端末１０２における近距離無線通信部２３は、近距離無線通信１１２を切断する。
Ｓ８１３において、移動体通信端末１０２は、ダイヤルアップ接続による広域移動体通信網１０１経由でのインタネット１０４とのアクセスを行う。
Ｓ８１４において、Ｓ８０７或いはＳ８１０にてリンクが確立した場合に、広域移動体通信網１０１経由でのダイヤルアップ接続を切断する。
Ｓ８１５において、移動体通信端末１０２における近距離無線通信部２３は、近距離無線通信１１２を介してリンクが確立した当該ＬＡＰ１０６経由でのインタネット１０４とのアクセスを行い、ダウンロード要求された情報をダウンロードする。
Ｓ８１６において、移動体通信端末１０２は、リンクが確立した当該ＬＡＰ１０６のエリア外になったかを判断する。リンクが確立した当該ＬＡＰ１０６のエリア外になった場合には、Ｓ８０５に戻る。
Ｓ８１７において、移動体通信端末１０２は、ダウンロード要求された情報のダウンロードが終了したかを判断する。ダウンロードが終了していない場合には、Ｓ８１５に戻る。
Ｓ８１８において、移動体通信端末１０２における近距離無線通信部２３は、ダウンロードが終了した場合に、近距離無線通信１１２を切断する。
【００４１】
図９は、移動体通信端末から近距離無線通信を起動する場合のＬＡＰフローを示す図である。
図９においては、図６におけるＢＴＳ３ゾーン６３の状態を想定している。図９においては、図７におけるＬＡＰ１０６のフローを示している。
Ｓ９０１において、ＬＡＰ１０６は、近距離無線通信１１２を起動する。
Ｓ９０２において、ＬＡＰ１０６は、移動体通信端末１０２よりリンク確立要求があるか判断する。確立要求がなければ、確立要求を待つ。
Ｓ９０３において、ＬＡＰ１０６は、移動体通信端末１０２よりリンク確立要求がある場合に、当該移動体通信端末１０２からリンク確立要求があることをサーバ１０７に出力する。サーバ１０７は、当該移動体通信端末１０２が移動体端末管理装置１０８に登録された移動体通信端末１０２であることの認証をする。ここで、サーバ１０７は、前もって、移動体端末管理装置１０８より、移動体端末管理装置１０８に登録された移動体通信端末１０２に関する情報を入力し、登録しておく。
Ｓ９０４において、ＬＡＰ１０６は、リンクを確立する場合に、移動体通信端末１０２に対し、リンク確立応答を出力する。
Ｓ９０５において、ＬＡＰ１０６は、移動体端末管理装置１０８とのサーバ１０７を介したインタネット１０４経由での通信に先立ち、当該ＬＡＰ１０６が移動体端末管理装置１０８に登録されたＬＡＰ１０６であることの認証を受ける。ここでは、ＬＡＰ１０６が認証を受けているが、サーバ１０７が認証を受けることで、サーバ１０７が備える複数のＬＡＰ１０６が一部あるいはすべて認証を受けたことにしてもよい。
Ｓ９０６において、ＬＡＰ１０６は、移動体端末管理装置１０８に対し、移動体通信端末１０２とのリンクが確立したことを通知するリンク確立通知をサーバ１０７を介して出力する。ここでは、ＬＡＰ１０６が出力しているが、サーバ１０７が移動体端末管理装置１０８に対し出力してもよい。
Ｓ９０７において、ＬＡＰ１０６は、移動体通信端末１０２との間で近距離無線通信１１２を介して通信する。
Ｓ９０８において、ＬＡＰ１０６は、圏外などで移動体通信端末１０２とのリンクが確立できなくなったかを判断する。リンクが確立できる場合は、Ｓ９０７に戻る。
Ｓ９０９において、ＬＡＰ１０６は、圏外などで移動体通信端末１０２とのリンクが確立できなくなった場合には、移動体端末管理装置１０８に前記移動体通信端末１０２が当該ＬＡＰ１０６のエリア外に出たことを通知するためにリンク開放通知をインタネット１０４経由で行う。ここでは、ＬＡＰ１０６が出力しているが、サーバ１０７が移動体端末管理装置１０８に対し出力してもよい。そして、Ｓ９０２に戻る。
【００４２】
図１０は、移動体通信端末から近距離無線通信を起動する場合の移動体端末管理装置フローを示す図である。
図１０においては、図６におけるＢＴＳ３ゾーン６３の状態を想定している。図１０においては、図７における移動体端末管理装置１０８のフローを示している。
Ｓ１００１において、移動体端末管理装置１０８は、広域移動体通信網基地局１０３より移動体通信端末１０２の位置情報の登録更新があるか判断する。ここで、移動体通信端末１０２の位置情報の登録更新がない場合には、後述するＳ１００５に進む。
Ｓ１００２において、移動体通信端末１０２の位置情報の登録更新がある場合に、移動体端末管理装置１０８における記憶部３１は、図５における移動体通信端末管理テーブルの位置情報を更新し記憶する。
Ｓ１００３において、移動体端末管理装置１０８は、移動体通信端末１０２との広域移動体通信網１０１経由での通信に先立ち、当該移動体通信端末１０２が移動体端末管理装置１０８に登録された移動体通信端末１０２であることの認証を行う。
Ｓ１００４において、移動体端末管理装置１０８における出力部３２は、移動体通信端末１０２に対し広域移動体通信網１０１経由でＬＡＰ１０６接続情報のリストであるＬＡＰ１０６情報を出力する。
Ｓ１００５において、移動体端末管理装置１０８は、ＬＡＰ１０６或いはサーバ１０７とのインタネット１０４経由での通信に先立ち、当該、ＬＡＰ１０６或いはサーバ１０７が移動体端末管理装置１０８に登録された、ＬＡＰ１０６或いはサーバ１０７であることの認証を行う。
Ｓ１００６において、移動体端末管理装置１０８は、ＬＡＰ１０６或いはサーバ１０７からインタネット１０４経由でリンク確立通知が入力されたかを判断する。リンク確立通知が入力されなかった場合は、Ｓ１００１に戻る。ここで、リンク確立通知が入力される場合には、移動体端末管理装置１０８における入力部３３が入力する。
Ｓ１００７において、リンク確立通知が入力された場合には、移動体端末管理装置１０８における変更部３４が、リンク確立通知に有する移動体通信端末１０２の識別情報とＬＡＰ１０６の識別情報とに基づき、図５における移動体通信端末管理テーブルの詳細位置情報を変更する。移動体端末管理装置１０８は、ＬＡＰ１０６からリンク確立およびリンク開放毎に当該ＬＡＰ１０６に接続されている移動体通信端末１０２Ｎｏ．および自己のＬＡＰ１０６ＮＯ．が通知される。通知してきたＬＡＰ１０６ＮＯ．からＬＡＰ管理テーブルのエリア情報を判断する。また、判断されたＬＡＰ管理テーブルのエリア情報より移動体通信端末１０２のエリアである詳細位置情報が認識できる。
移動体端末管理装置１０８における記憶部３１は、図５における移動体通信端末管理テーブルの詳細位置情報を認識したエリアに更新し記憶する。
【００４３】
実施の形態２．
実施の形態１では、移動体通信端末１０２から近距離無線通信１１２を起動しＬＡＰ１０６とのリンクを確立する場合について説明したが、本実施の形態２においては、ＬＡＰ１０６から近距離無線通信１１２を起動し移動体通信端末１０２とのリンクを確立する場合について説明する。
図１〜６については、実施の形態１と同様である。
【００４４】
図１１は、ＬＡＰから近距離無線通信を起動する場合のシーケンスである。
図１１においては、図６におけるＢＴＳ３ゾーン６３の状態を想定している。
Ｓ（ステップ）１１０１において、移動体通信端末１０２における広域通信網出力部２１は、移動体通信端末１０２が現在存在するゾーンを担当する広域移動体通信網基地局１０３に広域移動体通信１１０を用いて自己の識別情報を出力する。広域移動体通信網基地局１０３は、上記入力された識別情報に基づいて、移動体通信端末１０２が存在するゾーンを登録する。
Ｓ１１０２において、移動体端末管理装置１０８は、広域体通信網１１１を介して広域移動体通信網基地局１０３より移動体通信端末１０２が存在するゾーンを位置情報として入力する。
Ｓ１１０４において、移動体端末管理装置１０８は、移動体通信端末１０２がＬＡＰ１０６の存在するゾーンに移動してきたことを位置情報により検出すると、移動体通信端末１０２に図４で示された当該ゾーン内のＬＡＰ１０６接続情報のリストを広域移動体通信網１０１経由で通知する。ここで、本実施の形態２では、ＬＡＰ１０６から移動体通信端末１０２にリンクを確立する場合を想定しているため、リストではなく、ある無しだけを通知してもよい。移動体通信端末１０２における広域通信網入力部２２は、ＬＡＰ１０６接続情報のリスト或いはある無しだけの通知を入力する。ここで、移動体通信端末１０２では、ユーザからＬＡＰ１０６のサーバ１０７データのダウンロード要求があると近距離無線通信１１２を起動し、ＬＡＰ１０６からのリンク確立要求を一定時間待つ。
ここで、Ｓ１１０３のように、ＬＡＰ１０６接続情報のリスト通知は移動体通信端末１０２から要求されたときのみ行っても良い。
Ｓ１１０５において、当該ゾーン内の各ＬＡＰ１０６に当該ゾーンに内に移動してきた移動体通信端末１０２の接続情報をインタネット１０４経由で通知する。すなわち、移動体端末管理装置１０８は、移動体通信端末１０２がＬＡＰ１０６の存在するゾーンに移動してきたことを位置情報により検出すると、移動体通信端末１０２に図５で示された当該ゾーン内の移動体通信端末１０２接続情報のリストをインタネット１０４経由でＬＡＰ１０６或いはサーバ１０７に通知する。ここでは、ＬＡＰ３１（ＬＡＰ１）の番号を持つＬＡＰ１０６とＬＡＰ３２（ＬＡＰ２）の番号を持つＬＡＰ１０６とに出力している。
Ｓ１１０６において、ＬＡＰ１０６或いはサーバ１０７では、通知された移動体通信端末１０２の接続情報に従って、近距離無線通信１１２を起動し、移動体通信端末１０２の接続情報が更新されるまで移動体通信端末１０２とのリンクの確立要求を試みる（発呼する）。すなわち、ＬＡＰ３１（ＬＡＰ１）の番号を持つＬＡＰ１０６或いはこれを制御するサーバ１０７は、移動体端末管理装置１０８から通知された移動体通信端末１０２接続情報に従って、近距離無線通信１１２を起動し、移動体通信端末１０２とのリンクの確立要求を試みる。Ｓ１１０６では、確立要求を試みた移動体通信端末１０２が近距離無線通信１１２の通信圏外にあることを示している。
Ｓ１１０７において、ＬＡＰ３２（ＬＡＰ２）の番号を持つＬＡＰ１０６或いはこれを制御するサーバ１０７は、移動体通信端末１０２接続情報のリストに基づいて、移動体通信端末１０２とのリンクの確立要求を試みる。
Ｓ１１０８において、リンクの確立する移動体通信端末１０２があれば、移動体通信端末１０２では、移動体通信端末１０２からのリンク確立要求があるとそれに応答する。すなわち、、移動体通信端末１０２は、近距離無線通信１１２を介してＬＡＰ１０６にリンク確立応答を出力する。
Ｓ１１０９において、移動体通信端末１０２は、広域移動体通信網基地局１０３を介した広域移動体通信網１０１の回線を切断する。
Ｓ１１１０において、サーバ１０７に制御されたＬＡＰ１０６は、リンクが確立すると、移動体端末管理装置１０８に前記移動体通信端末１０２が当該ＬＡＰ１０６のエリアにいることを通知するためにリンク確立通知（通信通知の一例である。）をインタネット１０４経由で行う。すなわち、リンクの確立するＬＡＰ１０６は、移動体通信端末１０２との間でリンクの確立したことを通知するリンク確立通知をサーバ１０７を介してインタネット１０４経由で移動体端末管理装置１０８に出力する。また、ＬＡＰ１０６は、圏外などでリンクが確立できなくなった場合には、移動体端末管理装置１０８に前記移動体通信端末１０２が当該ＬＡＰ１０６のエリア外に出たことを通知するためにリンク開放通知をインタネット１０４経由で行う。また、サーバ１０７に制御されたＬＡＰ１０６は、移動体通信端末１０２の接続情報が更新されるまで前記移動体通信端末１０２とのリンクの確立を試みる。
Ｓ１１１１において、リンクの確立するＬＡＰ１０６があれば、ダイヤルアップ接続ではなく当該ＬＡＰ１０６経由でのインタネット１０４にアクセスを行う。すなわち、移動体通信端末１０２における近距離無線通信部２３は、広域移動体通信網１０１を介したダイヤルアップ接続ではなく近距離無線通信１１２を介して当該ＬＡＰ１０６経由でのインタネットアクセスを行う。
ダウンロード要求された情報のダウンロードが終了したら、近距離無線通信１１２を停止する。
ＬＡＰ１０６とのリンク確立ができない場合、移動体通信端末１０２は、近距離無線通信１１２の起動を停止し、ダイヤルアップ接続による広域移動体通信網１０１経由でのインタネットアクセスを行う。
また、ＬＡＰ１０６のエリア外になった場合、移動体通信端末１０２は、再度リンク確立要求を一定時間待つ。移動体通信端末１０２は、リンクの確立するＬＡＰ１０６があれば、ダイヤルアップ接続ではなく当該ＬＡＰ１０６経由でのインタネット１０４アクセスを行う。
【００４５】
図１２は、ＬＡＰから近距離無線通信を起動する場合の移動体通信端末フローを示す図である。
図１２においては、図６におけるＢＴＳ３ゾーン６３の状態を想定している。図１２においては、図１１における移動体通信端末１０２のフローを示している。
Ｓ１２０１において、移動体通信端末１０２は、移動体端末管理装置１０８との広域移動体通信網１０１経由での通信に先立ち、当該移動体通信端末１０２が移動体端末管理装置１０８に登録された移動体通信端末１０２であることの認証を受ける。
Ｓ１２０２において、移動体通信端末１０２における広域通信網入力部２２は、移動体端末管理装置１０８からＬＡＰ１０６接続情報のリスト或いは近距離無線通信１１２可能なＬＡＰ１０６のある無しだけの通知であるＬＡＰ１０６情報を受信する。
Ｓ１２０３において、移動体通信端末１０２は、ユーザーからＬＡＰ１０６のサーバ１０７が有するデータ或いはインタネット１０４を介して外部からのデータのダウンロード要求があるかを判断する。なければ、ダウンロード要求を待つ。
Ｓ１２０４において、移動体通信端末１０２における近距離無線通信部２３は、近距離無線通信１１２を起動する。
Ｓ１２０５において、移動体通信端末１０２は、ＬＡＰ１０６からのリンク確立要求があるかを判断する。
Ｓ１２０６において、リンク確立要求がない場合に、移動体通信端末１０２は、設定された時間を経過したかを判断する。ここで、移動体通信端末１０２は、予め、近距離無線通信１１２を起動し、ＬＡＰ１０６からのリンク確立要求を待つ所定の時間を設定しておく。設定された時間を経過していない場合は、Ｓ１２０５に戻る。
Ｓ１２０７において、設定された時間を経過した場合に、移動体通信端末１０２における近距離無線通信部２３は、近距離無線通信１１２を切断する。
Ｓ１２０８において、移動体通信端末１０２は、ダイヤルアップ接続による広域移動体通信網１０１経由でのインタネット１０４とのアクセスを行う。アクセスが終了したらＳ１２０３に戻る。
Ｓ１２０９において、ＬＡＰ１０６からのリンク確立要求がある場合、移動体通信端末１０２は、ＬＡＰ１０６との近距離無線通信１１２経由での通信に先立ち、ＬＡＰ１０６経由でサーバ１０７に対し、当該移動体通信端末１０２が移動体端末管理装置１０８に登録された移動体通信端末１０２であることの認証を受ける。ここで、サーバ１０７は、前もって、移動体端末管理装置１０８より、移動体端末管理装置１０８に登録された移動体通信端末１０２に関する情報を入力し、登録しておく。
Ｓ１２１０において、移動体通信端末１０２における近距離無線通信部２３は、ＬＡＰ１０６にリンク確立応答を出力する。移動体通信端末１０２は、リンクが確立した場合に、広域移動体通信網１０１経由でのダイヤルアップ接続を切断する。
Ｓ１２１１において、移動体通信端末１０２における近距離無線通信部２３は、近距離無線通信１１２を介してリンクが確立した当該ＬＡＰ１０６経由でのインタネット１０４とのアクセスを行い、ダウンロード要求された情報をダウンロードする。
Ｓ１２１２において、移動体通信端末１０２は、リンクが確立した当該ＬＡＰ１０６のエリア外になったかを判断する。リンクが確立した当該ＬＡＰ１０６のエリア外になった場合には、Ｓ１２０５に戻る。
Ｓ１２１３において、移動体通信端末１０２は、ダウンロード要求された情報のダウンロードが終了したかを判断する。ダウンロードが終了していない場合には、Ｓ１２１１に戻る。
Ｓ１２１４において、移動体通信端末１０２における近距離無線通信部２３は、ダウンロードが終了した場合に、近距離無線通信１１２を切断する。
【００４６】
図１３は、ＬＡＰから近距離無線通信を起動する場合のＬＡＰフローを示す図である。
図１３においては、図６におけるＢＴＳ３ゾーン６３の状態を想定している。図１３においては、図１１におけるＬＡＰ１０６のフローを示している。
Ｓ１３０１において、ＬＡＰ１０６は、移動体端末管理装置１０８とのサーバ１０７を介したインタネット１０４経由での通信に先立ち、当該ＬＡＰ１０６が移動体端末管理装置１０８に登録されたＬＡＰ１０６であることの認証を受ける。ここでは、ＬＡＰ１０６が認証を受けているが、サーバ１０７が認証を受けることで、サーバ１０７が備える複数のＬＡＰ１０６が一部あるいはすべて認証を受けたことにしてもよい。
Ｓ１３０２において、ＬＡＰ１０６或いはサーバ１０７は、移動体端末管理装置１０８から移動体通信端末１０２接続情報のリストをインタネット１０４経由で受信したか判断する。
Ｓ１３０３において、移動体通信端末１０２接続情報のリストをインタネット１０４経由で受信した場合、ＬＡＰ１０６或いはサーバ１０７は、移動体通信端末１０２接続情報のリストに基づいて、リンク先を設定する。例えば、図５のチャネル情報に従い、リンクを想定する移動体通信端末１０２のチャネル情報を設定する。
Ｓ１３０４において、移動体通信端末１０２接続情報のリストをインタネット１０４経由で受信しない場合、ＬＡＰ１０６或いはサーバ１０７は、現在、リンク先を設定済であるかを判断する。リンク先を設定済でなければ、Ｓ１３０１に戻る。リンク先を設定済である場合は、Ｓ１３０５に進む。
Ｓ１３０５において、ＬＡＰ１０６は、近距離無線通信１１２を起動し、ＬＡＰ１０６或いはサーバ１０７は、移動体通信端末１０２にリンク確立要求を出力する。
Ｓ１３０６において、ＬＡＰ１０６或いはサーバ１０７は、リンクが確立したかを判断する。リンクが確立していない場合は、Ｓ１３０１に戻る。
Ｓ１３０７において、リンクが確立した場合、すなわち、移動体通信端末１０２よりリンク確立応答がある場合に、ＬＡＰ１０６は、当該移動体通信端末１０２からリンク確立応答があることをサーバ１０７に出力する。サーバ１０７は、当該移動体通信端末１０２が移動体端末管理装置１０８に登録された移動体通信端末１０２であることの認証をする。ここで、サーバ１０７は、前もって、移動体端末管理装置１０８より、移動体端末管理装置１０８に登録された移動体通信端末１０２に関する情報を入力し、登録しておく。
Ｓ１３０８において、ＬＡＰ１０６は、移動体端末管理装置１０８に対し、移動体通信端末１０２とのリンクが確立したことを通知するリンク確立通知をサーバ１０７を介して出力する。ここでは、ＬＡＰ１０６が出力しているが、サーバ１０７が移動体端末管理装置１０８に対し出力してもよい。
Ｓ１３０９において、ＬＡＰ１０６は、移動体通信端末１０２との間で近距離無線通信１１２を介して通信する。
Ｓ１３１０において、ＬＡＰ１０６或いはサーバ１０７は、圏外などで移動体通信端末１０２とのリンクが確立できなくなったかを判断する。リンクが確立できる場合は、Ｓ１３０９に戻る。
Ｓ１３１１において、ＬＡＰ１０６或いはサーバ１０７は、圏外などで移動体通信端末１０２とのリンクが確立できなくなった場合には、移動体端末管理装置１０８に前記移動体通信端末１０２が当該ＬＡＰ１０６のエリア外に出たことを通知するためにリンク開放通知をインタネット１０４経由で行う。ここでは、ＬＡＰ１０６が出力しているが、サーバ１０７が移動体端末管理装置１０８に対し出力してもよい。そして、Ｓ１３０１に戻る。
【００４７】
図１４は、ＬＡＰから近距離無線通信を起動する場合の移動体端末管理装置フローを示す図である。
図１４においては、図６におけるＢＴＳ３ゾーン６３の状態を想定している。図１４においては、図１１における移動体端末管理装置１０８のフローを示している。
Ｓ１４０１において、移動体端末管理装置１０８は、広域移動体通信網基地局１０３より移動体通信端末１０２の位置情報の登録更新があるか判断する。ここで、移動体通信端末１０２の位置情報の登録更新がない場合には、後述するＳ１４０６に進む。
Ｓ１４０２において、移動体通信端末１０２の位置情報の登録更新がある場合に、移動体端末管理装置１０８における記憶部３１は、図５における移動体通信端末管理テーブルの位置情報を更新し記憶する。
Ｓ１４０３において、移動体端末管理装置１０８は、移動体通信端末１０２との広域移動体通信網１０１経由での通信に先立ち、当該移動体通信端末１０２が移動体端末管理装置１０８に登録された移動体通信端末１０２であることの認証を行う。移動体端末管理装置１０８における出力部３２は、移動体通信端末１０２に対し広域移動体通信網１０１経由でＬＡＰ１０６接続情報のリスト或いは近距離無線通信１１２通信可能なＬＡＰ１０６のある無しだけの通知であるＬＡＰ１０６情報を出力する。
Ｓ１４０４において、移動体端末管理装置１０８は、ＬＡＰ１０６或いはサーバ１０７とのインタネット１０４経由での通信に先立ち、当該、ＬＡＰ１０６或いはサーバ１０７が移動体端末管理装置１０８に登録された、ＬＡＰ１０６或いはサーバ１０７であることの認証を行う。
Ｓ１４０５において、移動体端末管理装置１０８における出力部３２は、移動体通信端末１０２の接続情報をＬＡＰ１０６に出力する。
Ｓ１４０６において、移動体端末管理装置１０８は、ＬＡＰ１０６或いはサーバ１０７からインタネット１０４経由でリンク確立通知が入力されたかを判断する。リンク確立通知が入力されなかった場合は、Ｓ１４０１に戻る。ここで、リンク確立通知が入力される場合には、移動体端末管理装置１０８における入力部３３が入力する。
Ｓ１４０７において、リンク確立通知が入力された場合には、移動体端末管理装置１０８における変更部３４が、リンク確立通知に有する移動体通信端末１０２の識別情報とＬＡＰ１０６の識別情報とに基づき、図５における移動体通信端末管理テーブルの詳細位置情報を変更する。移動体端末管理装置１０８は、ＬＡＰ１０６からリンク確立およびリンク開放毎に当該ＬＡＰ１０６に接続されている移動体通信端末１０２Ｎｏ．および自己のＬＡＰ１０６ＮＯ．が通知される。通知してきたＬＡＰ１０６ＮＯ．からＬＡＰ管理テーブルのエリア情報を判断する。また、判断されたＬＡＰ管理テーブルのエリア情報より移動体通信端末１０２のエリアである詳細位置情報が認識できる。
移動体端末管理装置１０８における記憶部３１は、図５における移動体通信端末管理テーブルの詳細位置情報を認識したエリアに更新し記憶する。
【００４８】
実施の形態３．
実施の形態１，２において、移動体端末管理装置１０８では、ＬＡＰ１０６からリンク確立およびリンク開放毎に当該ＬＡＰ１０６に接続されている移動体通信端末１０２ＮＯ．および自己のＬＡＰ１０６Ｎｏ．が通知される。通知してきたＬＡＰ１０６Ｎｏ．からＬＡＰ管理テーブルのエリア情報より移動体通信端末１０２のエリアが認識できる。そして、移動体通信端末管理テーブルの詳細位置情報を認識したエリアに更新する。このようにして、移動体端末管理装置１０８では、移動体通信端末１０２の詳細位置情報を把握できる。
本実施の形態３では、実施の形態１，２の構成をすべて利用する。
【００４９】
図１５は、詳細位置情報によるサービスを実施する場合の移動体端末管理装置フローを示している。
Ｓ１５０１において、移動体端末管理装置１０８は、ＬＡＰ１０６或いはサーバ１０７とのインタネット１０４経由での通信に先立ち、当該、ＬＡＰ１０６或いはサーバ１０７が移動体端末管理装置１０８に登録された、ＬＡＰ１０６或いはサーバ１０７であることの認証を行う。
Ｓ１５０２において、移動体端末管理装置１０８は、ＬＡＰ１０６或いはサーバ１０７からインタネット１０４経由でリンク確立通知が入力されたかを判断する。リンク確立通知が入力されなかった場合は、Ｓ１５０１に戻る。ここで、リンク確立通知が入力される場合には、移動体端末管理装置１０８における入力部３３が入力する。
Ｓ１５０３において、移動体端末管理装置１０８における変更部３４が、リンク確立通知に有する移動体通信端末１０２の識別情報とＬＡＰ１０６の識別情報とに基づき、図５における移動体通信端末管理テーブルの詳細位置情報を変更する。移動体端末管理装置１０８は、ＬＡＰ１０６からリンク確立およびリンク開放毎に当該ＬＡＰ１０６に接続されている移動体通信端末１０２Ｎｏ．および自己のＬＡＰ１０６ＮＯ．が通知される。通知してきたＬＡＰ１０６ＮＯ．からＬＡＰ管理テーブルのエリア情報を判断する。また、判断されたＬＡＰ管理テーブルのエリア情報より移動体通信端末１０２のエリアである詳細位置情報が認識できる。
Ｓ１５０４において、移動体端末管理装置１０８における記憶部３１は、図５における移動体通信端末管理テーブルの詳細位置情報を認識したエリアに更新し記憶する。
Ｓ１５０５において、移動体端末管理装置１０８は、詳細位置情報サービスを行う。例えば、移動体通信端末１０２に対し、現在、移動体通信端末１０２が何ゾーンの何番地にいるかを出力し、課金する。
【００５０】
近距離無線通信１１２での通信可能範囲は、使用する技術により異なるが、例えば、通信可能範囲が数１０ｍであるＢｌｕｅｔｏｏｔｈ等を用いれば、情報を受け取った移動体通信端末１０２は、この情報を地図代わりに利用することができる。近距離無線通信１１２は、Ｂｌｕｅｔｏｏｔｈに限られるわけではなく、通信可能範囲が現在および将来にわたって広くなっても構わない。広くなれば、それだけ、移動体通信端末１０２とＬＡＰ１０６との通信が可能となり、本システムの利用範囲が広がっていくものである。
以上のように、本実施の形態３では、移動体端末管理装置１０８が、移動体通信端末１０２或いはサーバ１０７に対し、移動体通信端末１０２の詳細位置情報を出力することにより、課金するようにしてもよい。
サーバ１０７は、移動体通信端末１０２の詳細位置情報により当該エリアに限定した位置情報サービス（例えば、地域限定サービスの広告など）を移動体通信端末１０２に対し積極的に送信する（情報ｐｕｓｈする）ことができる。情報ｐｕｓｈは、移動体通信端末１０２から要求（ｏｎ／ｏｆｆ設定）に従って行っても良い。
移動体通信端末１０２は、移動体通信端末１０２の詳細位置情報により当該エリアに限定した位置情報サービス（例えば、地域限定サービスの広告など）をサーバ１０７に対し、要求することができる。
【００５１】
以上のように、各実施の形態における移動体通信網／近距離無線ＬＡＮ連携システムは、
広域移動体通信網１０１と、
近距離無線通信１１２によってアクセスするローカルアクセスポイント（ＬＡＰ１０６）を備えかつインタネット１０４との接続手段を備えているＬＡＰ１０６のサーバ１０７とで構成される近距離無線通信１１２ＬＡＮと、
広域移動体通信網１０１と通信する手段を備え、なおかつ少なくとも１つの近距離無線通信１１２通信手段をもつ移動体通信端末１０２と
を備える移動体通信網／近距離無線ＬＡＮ連携システムであって、
広域移動体通信網１０１による移動体通信端末１０２の位置情報を管理し、かつローカルアクセスポイントへの近距離無線通信１１２通信接続情報を移動通信端末１０１へ通知する移動体端末管理装置１０８を備えたことを特徴とするセキュリティ保護された通信を行う移動体通信網／近距離無線ＬＡＮ連携システムである。
【００５２】
また、各実施の形態における移動体通信網／近距離無線ＬＡＮ連携システムは、
広域移動体通信網１０１と、
近距離無線通信１１２によってアクセスするローカルアクセスポイント（ＬＡＰ１０６）を備えかつインタネット１０４との接続手段を備えているＬＡＰ１０６のサーバ１０７とで構成される近距離無線通信１１２ＬＡＮと、
広域移動体通信網１０１と通信する手段を備え、なおかつ少なくとも１つの近距離無線通信１１２通信手段をもつ移動体通信端末１０２と
を備えた移動体通信網／近距離無線ＬＡＮ連携システムであって、
広域移動体通信網１０１による移動体通信端末１０２の位置情報を管理し、かつ移動通信端末１０２への近距離無線通信１１２通信接続情報をＬＡＰ１０６のサーバ１０７へ通知する移動体端末管理装置１０８を備えたことを特徴とするセキュリティ保護された通信を行う移動体通信網／近距離無線ＬＡＮ連携システムである。
【００５３】
また、各実施の形態における移動体通信網／近距離無線ＬＡＮ連携システムは、
広域移動体通信網１０１と、
近距離無線通信１１２によってアクセスするローカルアクセスポイント（ＬＡＰ１０６）を備えかつインタネット１０４との接続手段を備えているＬＡＰ１０６のサーバ１０７とで構成される近距離無線ＬＡＮと、
広域移動体通信網１０１と通信する手段を備え、なおかつ少なくとも１つの近距離無線通信１１２通信手段をもつ移動体通信端末１０２と
を備えた移動体通信網／近距離無線ＬＡＮ連携システムであって、
広域移動体通信網１０１による移動体通信端末１０２の位置情報を管理し、かつローカルアクセスポイントへの近距離無線通信１１２通信接続情報を移動通信端末１０２へ通知し、かつ移動通信端末１０２への近距離無線通信１１２通信接続情報をＬＡＰ１０６のサーバ１０７へ通知する移動体端末管理装置１０８を備えたことを特徴とするセキュリティ保護された通信を行う移動体通信網／近距離無線ＬＡＮ連携システムである。
【００５４】
また、上記近距離無線ＬＡＮのＬＡＰ１０６のサーバ１０７からローカルアクセスポイント（ＬＡＰ１０６）と近距離無線通信１１２を行っている移動通信端末１０２の情報を移動体端末管理装置１０８に通知することを特徴とする移動体通信網／近距離無線ＬＡＮ連携システムである。
【００５５】
以上のように、上記実施の形態における移動体通信端末１０２は、広域移動体通信１１０と近距離無線通信１１２とを用いて通信をおこなう移動体通信端末１０２であって、
自己の位置情報を上記広域移動体通信網１０１を用いて出力する広域通信網出力部２１と、
上記広域通信網出力部２１により出力された自己の位置情報に基づいて、上記近距離無線通信１１２を用いて通信可能な外部装置１１４の接続情報を上記広域移動体通信網１０１を用いて入力する広域通信網入力部２２と、
上記広域通信網入力部２２により入力された上記外部装置１１４の接続情報に基づいて、上記外部装置１１４の接続情報に対応する外部装置１１４と上記近距離無線通信１１２を用いて通信する近距離無線通信部２３と
を備えている。
【００５６】
また、上記外部装置１１４は、インターネット１０４に接続され、
上記近距離無線通信部２３は、上記外部装置１１４を介してインターネット１０４を用いて通信する。
【００５７】
また、上記近距離無線通信部２３は、上記広域通信網入力部２１により上記外部装置１１４の接続情報が入力された後に、上記近距離無線通信１１２に接続する。
【００５８】
また、上記広域移動体通信網１０１は、インターネット１０４に接続可能に配置され、
上記広域通信網入力部２２は、上記広域移動体通信網１０１を介してインターネット１０４に接続され、
上記移動体通信端末１０２は、上記近距離無線通信部２３が上記外部装置１１４と上記近距離無線通信１１２を用いて通信する間、上記広域移動体通信網１０１との接続を遮断し、上記インターネット１０４との接続を遮断する。
【００５９】
以上のように、上記実施の形態における移動体端末管理装置１０８は、近距離無線通信１１２を用いて通信可能な移動体通信端末１０２と近距離無線通信装置であるＬＡＰ１０６或いはサーバ１０７とを管理する移動体端末管理装置１０８であって、
上記移動体通信端末１０２の位置情報と上記ＬＡＰ１０６の位置情報と上記ＬＡＰ１０６の接続情報とを記憶する記憶部３１と、
上記記憶部３１により記憶された上記移動体通信端末１０２の位置情報と上記ＬＡＰ１０６の位置情報とが所定の基準により対応する上記移動体通信端末１０２に対し、上記記憶部３１により記憶された上記ＬＡＰ１０６の位置情報と上記ＬＡＰ１０６の接続情報とを出力して上記移動体通信端末１０２とＬＡＰ１０６との近距離無線通信１１２を介した通信を可能にする出力部３２と、
上記出力部３２により出力された上記ＬＡＰ１０６の位置情報と上記ＬＡＰ１０６の接続情報とに基づいて、上記移動体通信端末１０２とＬＡＰ１０６とが近距離無線通信１１２を介して通信したことを通知する通信通知であるリンク確立通知を入力する入力部３３と、
上記入力部３３により入力されたリンク確立通知に基づいて、上記記憶部３１により記憶された上記移動体通信端末の位置情報を変更する変更部３４と
を備えている。
【００６０】
以上のように、上記実施の形態における移動体端末管理装置１０８は、近距離無線通信１１２を用いて通信可能な移動体通信端末１０２とＬＡＰ１０６或いはサーバ１０７とを管理する移動体端末管理装置１０８であって、
上記移動体通信端末１０２の位置情報と上記ＬＡＰ１０６の位置情報と上記移動体通信端末１０２の接続情報を記憶する記憶部３１と、
上記記憶部３１により記憶された上記移動体通信端末１０２の位置情報と上記ＬＡＰ１０６の位置情報とが所定の基準により対応する上記ＬＡＰ１０６に対し、上記記憶部３１により記憶された上記移動体通信端末１０２の接続情報を出力して上記移動体通信端末１０２とＬＡＰ１０６との近距離無線通信１１２を介した通信を可能にする出力部３２と、
上記出力部３２により出力された上記移動体通信端末１０２の接続情報に基づいて、上記移動体通信端末１０２とＬＡＰ１０６とが上記近距離無線通信１１２を用いて通信したことを通知するリンク確立通知を入力する入力部３３と、
上記入力部３３により入力されたリンク確立通知に基づいて、上記記憶部３１により記憶された上記移動体通信端末１０２の位置情報を変更する変更部３４とを備えている。
【００６１】
また、上記入力部３３は、さらに、上記移動体通信端末１０２の位置情報を入力し、
上記変更部３４は、上記入力部３３により入力された上記移動体通信端末１０２の位置情報に基づいて、上記記憶部３１に記憶された上記移動体通信端末１０２の位置情報を変更する。
【００６２】
また、上記リンク確立通知は、上記移動体通信端末１０２の識別情報と上記ＬＡＰ１０６の識別情報とを有し、
上記変更部３４は、上記ＬＡＰ１０６の識別情報に基づき、上記記憶部３１に記憶された上記ＬＡＰ１０６の位置情報を特定し、上記移動体通信端末１０２の識別情報に基づき、上記移動体通信端末１０２が上記ＬＡＰ１０６と近距離に位置すると判断し、上記記憶部３１に記憶された上記移動体通信端末１０２の位置情報を上記ＬＡＰ１０６の位置情報と同位置に変更する。
【００６３】
以上のように、上記実施の形態における移動体通信網／近距離無線連携システムは、
近距離無線通信１１２を用いて通信可能な外部装置１１４と、
広域移動体通信１１０と近距離無線通信１１２とを用いて通信可能に配置され、自己の識別情報を記憶し、記憶された上記識別情報を上記広域移動体通信網１０１を用いて出力し、上記近距離無線通信１１２を用いて通信可能な上記外部装置１１４の接続情報を上記広域移動体通信網を用いて入力し、上記外部装置１１４の接続情報に基づき上記外部装置１１４と上記近距離無線通信１１２を用いて通信する移動体通信端末１０２と、
上記識別情報に基づく上記移動体通信端末１０２の位置情報を上記広域移動体通信網１０１を用いて入力し、上記移動体通信端末１０２に対し、入力された上記位置情報に基づいて、上記近距離無線通信１１２を用いて通信可能な外部装置１１４の接続情報を上記広域移動体通信網１０１を用いて出力する移動体端末管理装置１０８と
を備えている。
【００６４】
また、上記外部装置１１４は、複数のＬＡＰ１０６と、上記複数のＬＡＰ１０６とローカルエリアネットワークを介して接続され、上記複数のＬＡＰ１０６を制御するサーバ１０７とを有し、
上記移動体通信端末１０２は、上記複数のＬＡＰ１０６のいずれかを介して上記サーバ１０７と通信する。
【００６５】
また、上記サーバ１０７は、インターネット１０４に接続可能に配置され、
上記移動体通信端末１０２は、上記サーバ１０７を介してインターネット１０４を用いて通信する。
【００６６】
また、上記移動体端末管理装置１０８は、上記サーバ１０７に対し、入力された上記位置情報を出力し、
上記サーバ１０７は、上記移動体通信端末１０２との通信に先立ち、上記移動体通信端末に対し、上記位置情報に基づいて上記近距離無線通信１１２を用いて上記複数のＬＡＰ１０６のいずれかを介して発呼する。
【００６７】
以上のように、上記実施の形態における移動体通信網／近距離無線連携システムによれば、移動体通信端末１０２での近距離無線通信１１２の起動を移動体端末管理装置からの情報に従って行うため、通信可能な時のみ起動すればよく無駄な電力を消費しない。
ＬＡＰ１０６アクセス可能な場合はＬＡＰ１０６経由での通信を行うため安価で大容量通信が可能である。
接続可能なＬＡＰ１０６の情報が常時送られてくるため、ＬＡＰ１０６の接続先は固定でなく、利便性が向上する。
ＬＡＰ１０６のサーバ１０７が移動体通信端末とのリンクが確立したことを移動体端末管理装置１０８に通知することで、移動体端末管理装置１０８は広域移動体通信網１０１の位置情報から得られる情報より、更に詳細な位置情報を検出することが可能となり、移動体通信端末１０２の位置情報サービスや地域限定の情報サービス配信などが可能となる。
【００６８】
以上の説明において、各実施の形態の説明において「〜部」として説明したものは、一部或いはすべてコンピュータで動作可能なプログラムにより構成することができる。これらのプログラムは、例えば、Ｃ言語により作成することができる。或いは、ＨＴＭＬやＳＧＭＬやＸＭＬを用いても構わない。或いは、ＪＡＶＡ（登録商標）を用いて画面表示を行っても構わない。
また、各実施の形態の説明において「〜部」として説明したものは、ファームウェアで実現されていても構わない。或いは、ソフトウェア或いは、ハードウェア或いは、ソフトウェアとハードウェアとファームウェアとの組み合わせで実施されても構わない。
また、上記各実施の形態を実施させるプログラムは、記録媒体に記憶されていても構わない。
また、記録媒体は、ＦＤ、磁気ディスク装置、光ディスク、ＣＤ等その他の記録媒体による記録装置を用いても構わない。
【００６９】
【発明の効果】
本発明によれば、近距離無線を通信可能な時のみ起動すればよく無駄な電力を消費しない。また、接続可能な情報が常時送られてくるため、接続先は固定でなく、利便性が向上する。
【００７０】
本発明によれば、安価で大容量通信が可能である。
【００７１】
本発明によれば、接続可能な情報が常時送られて来てから近距離無線を起動すればよく無駄な電力を消費しない。
【００７２】
本発明によれば、広域移動体通信網を介したダイヤルアップ通信にかかる電力及び高価な料金を消費しなようにすることができる。
【００７３】
本発明によれば、近距離無線を通信可能な時のみ起動すればよく無駄な電力を消費しない。また、接続可能な情報が常時送られてくるため、接続先は固定でなく、利便性が向上する。また、更に詳細な位置情報を得ることが可能になる。
【００７４】
本発明によれば、無駄な電力を消費でず、移動体通信装置に積極的に安価で大容量の情報を送信することができる。
【００７５】
本発明によれば、広域移動体通信網の位置情報から得られる情報より、更に詳細な位置情報を得ることが可能になる。
【００７６】
本発明によれば、広域移動体通信網の位置情報から得られる情報より、更に詳細な位置情報を検出することが可能になる。
【００７７】
本発明によれば、近距離無線を通信可能な時のみ起動すればよく無駄な電力を消費しないシステムを提供することができる。また、接続可能な情報を常時得ることができるシステムを提供することができる。
【００７８】
本発明によれば、接続可能な情報が常時送られてくるため、接続先は固定でなく、利便性が向上するシステムを提供することができる。
【００７９】
本発明によれば、無駄な電力を消費でず、移動体通信装置に積極的に安価で通信することができる。また、移動体通信装置の位置情報サービスや地域限定の情報サービス配信などが可能となる。
【図面の簡単な説明】
【図１】  実施の形態１におけるシステム構成を示す図である。
【図２】  移動体通信端末のブロック図である。
【図３】  移動体端末管理装置のブロック図である。
【図４】  移動体端末管理装置のＬＡＰ管理テーブルを示す図である。
【図５】  移動体端末管理装置の移動体通信端末管理テーブルを示す図である。
【図６】  ゾーン構成を示す図である。
【図７】  移動体通信端末から近距離無線通信を起動する場合のシーケンスを示す図である。
【図８】  移動体通信端末から近距離無線通信を起動する場合の移動体通信端末フローを示す図である。
【図９】  移動体通信端末から近距離無線通信を起動する場合のＬＡＰフローを示す図である。
【図１０】  移動体通信端末から近距離無線通信を起動する場合の移動体端末管理装置フローを示す図である。
【図１１】  ＬＡＰから近距離無線通信を起動する場合のシーケンスである。
【図１２】  ＬＡＰから近距離無線通信を起動する場合の移動体通信端末フローを示す図である。
【図１３】  ＬＡＰから近距離無線通信を起動する場合のＬＡＰフローを示す図である。
【図１４】  ＬＡＰから近距離無線通信を起動する場合の移動体端末管理装置フローを示す図である。
【図１５】  詳細位置情報によるサービスを実施する場合の移動体端末管理装置フローを示している。
【図１６】  従来技術を示す図である。
【符号の説明】
１  イーサネットバックボーン、１０  端末、１５  セルラ移動サービス、１６  無線ＬＡＮ、１７  セルラ移動サービス、１８  公衆交通電話サービス、１９  ダイヤルアップサーバ、２１  広域通信網出力部、２２  広域通信網入力部、２３  近距離無線通信部、３１  記憶部、３２  出力部、３３  入力部、３４変更部、６１  ＢＴＳ１ゾーン、６２  ＢＴＳ２ゾーン、６３  ＢＴＳ３ゾーン、１０１  広域移動体通信網、１０２  移動体通信端末、１０３  広域移動体通信網基地局、１０４  インタネット、１０５  網間ゲートウェイ、１０６  ＬＡＰ、１０７  サーバ、１０８  移動体端末管理装置、１１０  広域移動体通信、１１１  広域体通信網、１１２  近距離無線通信、１１３  ＬＡＮ、１１４  外部装置。
【図１】
0004080224.tif 000002
【図２】
0004080224.tif 000003
【図３】
0004080224.tif 000004
【図４】
0004080224.tif 000005
【図５】
0004080224.tif 000006
【図６】
0004080224.tif 000007
【図７】
0004080224.tif 000008
【図８】
0004080224.tif 000009
【図９】
0004080224.tif 000010
【図１０】
0004080224.tif 000011
【図１１】
0004080224.tif 000012
【図１２】
0004080224.tif 000013
【図１３】
0004080224.tif 000014
【図１４】
0004080224.tif 000015
【図１５】
0004080224.tif 000016
【図１６】
0004080224.tif 000017